(57)【要約】      （修正有）【課題】高度な戦略眼が必要となり、かつ、新たな興趣性を有する魅力のある対戦ゲームを提供することが可能なゲーム装置及びプログラムを提供する。【解決手段】端末装置は、ターン毎に、プレーヤの操作に基づいて、フィールド上において操作対象プレーヤユニットを移動させつつ、当該移動に伴って他のプレーヤユニットを移動させ、可能な限り効率良く対戦ユニットに対する攻撃を行うことが可能な位置に、各プレーヤユニットを配置させるパズル的な要素を有する対戦ゲーム形式のシミュレーションゲームを実行させるための構成を有している。【選択図】図３
2017055999.tif 000002
【特許請求の範囲】
【請求項１】
複数のマスから構成されるフィールドを用いて、所定のターン毎に、プレーヤユニットと当該プレーヤユニットと対戦する対戦ユニットとの対戦ゲームを実行するプログラムであって、
プレーヤの操作に基づいて、前記マスを各ユニットの移動単位として、当該プレーヤ又は１以上の前記プレーヤユニットを含むプレーヤユニット群に割り当てられたターンの期間内に、各プレーヤユニットを前記フィールド上の移動可能範囲内で移動させて所望のマスに配置する移動制御処理を実行する移動制御手段、及び、
前記配置された各プレーヤユニットのマスの位置に基づいて、当該各プレーヤユニットが１以上の前記対戦ユニットから構成される対戦ユニット群を攻撃する攻撃制御処理を実行する攻撃制御手段、
としてコンピュータを機能させ、
前記移動制御手段が、
前記プレーヤの操作に基づいて所与のフィールド上の第１の位置から所望する第２の位置に各プレーヤユニットを配置する場合であって、前記第１の位置から前記第２の位置までの移動経路上のマスを示す経路対象マスに、他のユニットが存在する場合には、前記他のユニットを移動対象ユニットとして当該経路対象マスから他のマスに移動させる移動制御処理を実行することを特徴とするプログラム。
【請求項２】
請求項１に記載のプログラムおいて、
前記移動制御手段が、
前記プレーヤによって操作対象となっている操作対象プレーヤユニットが当該他のユニットが存在する経路対象マスの位置を通過するタイミングに関連付けて、前記移動対象ユニットを当該経路対象マスから他のマスに移動させる前記移動制御処理を実行する、プログラム。
【請求項３】
請求項１又は２に記載のプログラムおいて、
前記攻撃制御手段が、
前記移動制御処理に関連付けて、前記第１の位置から前記第２の位置まで移動する操作対象プレーヤユニット及び前記移動対象ユニットの少なくとも一方に所与の効果を付与する攻撃制御処理を実行する、プログラム。
【請求項４】
請求項１〜３のいずれか１項に記載のプログラムおいて、
前記移動制御手段が、
（１）前記プレーヤユニット又は前記プレーヤユニット群の各プレーヤユニットのユニット特性、
（２）前記移動制御処理の対象となる他のユニット又は当該他のユニットが属する対戦ユニット群における各ユニット特性、
（３）前記経路対象マスの地形属性、及び、
（４）当該経路対象マスの周辺のマスの地形属性
の少なくともいずれか一方に基づいて、前記移動対象ユニットに対する移動態様を決定して前記移動制御処理を実行する、プログラム。
【請求項５】
請求項１〜４のいずれか１項に記載のプログラムおいて、
前記移動制御手段が、
前記プレーヤユニットのユニット属性又は前記プレーヤユニット群の各プレーヤユニットのユニット属性に基づいて、前記ターンの期間を決定し、当該決定したターンの期間に基づいて前記移動制御処理を実行する、プログラム。
【請求項６】
請求項１〜５のいずれか１項に記載のプログラムおいて、
前記移動制御手段が、
前記移動対象ユニットが前記プレーヤユニットの場合に、当該他のユニットを当該経路対象マスから他のマスに移動させる移動制御処理を実行し、前記移動対象ユニットが前記対戦ユニットの場合に前記移動制御処理を中止する、プログラム。
【請求項７】
請求項１〜６のいずれか１項に記載のプログラムおいて、
各ユニットのゲームに関する表示を制御する表示制御手段として更に前記コンピュータを機能させ、
前記攻撃制御手段が、
各ユニットに予め設定されているマスを基準とした攻撃可能範囲に基づいて、前記
攻撃制御処理を実行し、
前記表示制御手段が、
前記他のユニットを当該経路対象マスから他のマスに移動させた場合に、各ユニットにおける攻撃対象となる攻撃対象ユニットが変更された場合に、当該変更されたことを表示する、プログラム。
【請求項８】
請求項１〜７のいずれか１項に記載のプログラムおいて、
前記攻撃制御手段が、
前記配置された各プレーヤユニットのマスの位置と、前記各ユニットのユニット属性及び当該各ユニットが配置されているマスの地形属性の少なくともいずれか一方と、に基づいて、各プレーヤユニットが前記対戦ユニット群を攻撃する攻撃制御処理を実行する、プログラム。
【請求項９】
請求項１〜８のいずれか１項に記載のプログラムおいて、
前記攻撃制御手段が、
各プレーヤユニットがそれぞれ対応する第２の位置に配置された状態で前記対戦ユニットに対する攻撃制御処理を実行する、プログラム。
【請求項１０】
請求項１〜９のいずれか１項に記載のプログラムおいて、
前記攻撃制御手段が、
予め定められた条件を具備した場合に、前記攻撃制御処理を実行する、プログラム。
【請求項１１】
請求項１０に記載のプログラムおいて、
前記予め定められた条件が、前記対戦ゲーム中の進行条件によって変化する、プログラム。
【請求項１２】
請求項１〜１１のいずれか１項に記載のプログラムおいて、
前記攻撃制御手段が、
予め定められた条件を具備した場合に、複数のプレーヤユニットに連携して前記攻撃制御処理を実行する、プログラム。
【請求項１３】
複数のマスから構成されるフィールドを用いて、所定のターン毎に、プレーヤユニットと当該プレーヤユニットと対戦する対戦ユニットとの対戦ゲームを実行するゲーム装置であって、
プレーヤの操作に基づいて、前記マスを各ユニットの移動単位として、当該プレーヤ又は１以上の前記プレーヤユニットを含むプレーヤユニット群に割り当てられたターンの期間内に、各プレーヤユニットを前記フィールド上の移動可能範囲内で移動させて所望のマスに配置する移動制御処理を実行する移動制御手段と、
前記配置された各プレーヤユニットのマスの位置に基づいて、当該各プレーヤユニット
が１以上の前記対戦ユニットから構成される対戦ユニット群を攻撃する攻撃制御処理を実行する攻撃制御手段と、
を備え、
前記移動制御手段が、
前記プレーヤの操作に基づいて所与のフィールド上の第１の位置から所望する第２の位置に各プレーヤユニットを配置する場合であって、前記第１の位置から前記第２の位置までの移動経路上のマスを示す経路対象マスに、他のユニットが存在する場合には、前記他のユニットを移動対象ユニットとして当該経路対象マスから他のマスに移動させる移動制御処理を実行することを特徴とするゲーム装置。
【発明の詳細な説明】
【技術分野】
【０００１】
本発明は、ゲーム装置及びプログラムなどに関する。
【背景技術】
【０００２】
近年、タブレット型情報通信端末装置又はスマートフォンなどの情報通信端末装置（以下、「通信端末装置」という）の多機能化、機能向上及びその普及に伴い、これらの携帯端末装置においてもゲームを実行する機会が増えている。
【０００３】
一方、戦闘に参加する部隊、キャラクタ、戦艦などをユニットと呼ばれる駒に見立てて、マップを構成するマス単位で移動や攻撃などの行動を行わせる、戦争などの戦闘を再現したシミュレーションゲームが知られている（例えば、特許文献１又は２）。
【先行技術文献】
【特許文献】
【０００４】
【特許文献１】特開２００２−６５９３７号公報
【特許文献２】特開２００９−２４７４７４号公報
【発明の概要】
【発明が解決しようとする課題】
【０００５】
しかしながら、上記特許文献１及び２に記載の装置にあっては、操作対象や行動制御の対象となるユニットを個々に移動させるだけであり、複数のユニット同士で対戦させるゲームとしては改良する余地がある。
【０００６】
本発明は、上記課題を解決するためになされたものであり、その目的は、高度な戦略眼が必要となり、かつ、新たな興趣性を有する魅力のある対戦ゲームを提供することが可能なゲーム装置及びプログラムを提供することにある。
【課題を解決するための手段】
【０００７】
（１）上記課題を解決するため、本発明のプログラムは、
複数のマスから構成されるフィールドを用いて、所定のターン毎に、プレーヤユニットと当該プレーヤユニットと対戦する対戦ユニットとの対戦ゲームを実行するプログラムであって、
プレーヤの操作に基づいて、前記マスを各ユニットの移動単位として、当該プレーヤ又は１以上の前記プレーヤユニットを含むプレーヤユニット群に割り当てられたターンの期間内に、各プレーヤユニットを前記フィールド上の移動可能範囲内で移動させて所望のマスに配置する移動制御処理を実行する移動制御手段、及び、
前記配置された各プレーヤユニットのマスの位置に基づいて、当該各プレーヤユニットが１以上の前記対戦ユニットから構成される対戦ユニット群を攻撃する攻撃制御処理を実行する攻撃制御手段、
としてコンピュータを機能させ、
前記移動制御手段が、
前記プレーヤの操作に基づいて所与のフィールド上の第１の位置から所望する第２の位置に各プレーヤユニットを配置する場合であって、前記第１の位置から前記第２の位置までの移動経路上のマスを示す経路対象マスに、他のユニットが存在する場合には、前記他のユニットを移動対象ユニットとして当該経路対象マスから他のマスに移動させる移動制御処理を実行する、構成を有している。
【０００８】
この構成により、本発明は、複数のマスから構成されるフィールドを用いて、所定のターン毎に、プレーヤユニットと対戦ユニットとの対戦ゲームを実行するゲームにおいて、プレーヤユニットを移動させる経路上に、他のプレーヤユニット又は対戦ユニットが配置されている場合には、当該他のプレーヤユニット又は対戦ユニットを移動対象ユニットとして他のマスに移動させることができる。
【０００９】
例えば、本発明は、操作対象となっているプレーヤユニットと移動対象ユニットとのマスの位置の入れ替え、又は、移動対象ユニットを他のユニットへ押し出すことができる。
【００１０】
したがって、本発明は、マス上の配置が重要な対戦ゲームにおいて、プレーヤユニットの移動操作によって、プレーヤユニット群を構成する各プレーヤユニットを対戦ユニットとの対戦上において有利になるように、また、対戦ユニット群を構成する各対戦ユニットに対して対戦上において不利になるように移動させて対戦ゲームを進行させることができる。
【００１１】
この結果、本発明は、対戦ゲームを進行させる上で、対戦ゲームにパズル的な要素を包含させることによって、プレーヤユニットに対するマス上を移動させるための戦略を重要視したゲームを提供することができるので、高度な戦略眼が必要となる新たな興趣性を有する魅力のある対戦ゲームを提供することができる。
【００１２】
なお、対戦ゲームには、戦闘ゲームやボードゲームなど対戦相手とユニット（キャラクタ、カードやコマ）又はパラメータ（ゲーム内の仮想通貨若しくはコイン、経験値、ヒットポイント、ライフエネルギー、攻撃パラメータや恋愛ゲームなどの感情パラメータ）の争奪を行うゲームが含まれる。
【００１３】
また、「ターン」とは、各プレーヤ又はプレーヤユニット群に割り当てられた移動や攻撃などの行動ターンであって、予めプレーヤユニット群及び対戦ユニット群にそれぞれ付与された攻撃及び防御を含む対戦を行う際のターンを示し、「ターンの期間内」とは、例えば、行動開始などの所定のイベントの開始タイミングから予め定められた時間内、又は、予め定められた数のマスを移動するマス数の範囲内を示す。
【００１４】
さらに、「経路対象マスから他のマスに移動させる」例としては、経路対象マスに存在する移動対象ユニットを、操作対象プレーヤユニットが存在しているマスに移動させること（すなわち、操作対象プレーヤユニットが存在する位置と移動対象ユニットが存在する位置との入れ替え）、当該操作対象プレーヤユニットが存在していたマス（例えば、行動開始時点に存在したマスなど）、又は、経路対象マスに隣接するマスや関連するマスに移動させること（例えば、移動経路マスからの押し出し）が含まれる。
【００１５】
（２）また、本発明のプログラムは、
前記移動制御手段が、
前記プレーヤによって操作対象となっている操作対象プレーヤユニットが当該他のユニットが存在する経路対象マスの位置を通過するタイミングに関連付けて、前記移動対象ユニットを当該経路対象マスから他のマスに移動させる前記移動制御処理を実行する、構成を有している。
【００１６】
この構成により、本発明は、操作対象プレーヤユニットが当該他のユニットが存在する経路対象マスの位置を通過するタイミングに関連付けて、前記移動対象ユニットを当該経路対象マスから他のマスに移動させることができるので、移動させるポイントに対する戦略を事前に検討させてそれを実行させることができる。
【００１７】
したがって、本発明は、対戦ゲームにパズル的な要素を包含させることによって高度な戦略眼が必要となる一方でその戦略を検討しやすくすることができるので、高度な戦略性とゲームの難しさによる興趣性の低下の防止のバランスを図ることができる。
【００１８】
なお、「通過するタイミングに関連付けて」には、通過するタイミングそのものの他に、通過するタイミングから所定の時間経過後などの通過するタイミングと所定の時間差のあるタイミングも含まれる。
【００１９】
また、「（通過するタイミングに関連付けて）他のユニットと操作対象プレーヤユニットとが配置された経路対象マスの位置とを変更する」とは、当該タイミングに他のプレーヤユニット又は対戦ユニットなどの移動対象ユニットと操作対象プレーヤユニットとが存在する経路対象マスの位置を変更する場合（すなわち、入れ替える場合）の他に、当該タイミングより過去のタイミング（例えば、第１の位置、ターン開始位置又は数ターン前の所定の位置）に存在していた操作対象プレーヤユニットの位置に移動対象ユニットの位置を変更する場合も含む。
【００２０】
（３）また、本発明のプログラムは、
前記攻撃制御手段が、
前記移動制御処理に関連付けて、前記第１の位置から前記第２の位置まで移動する操作対象プレーヤユニット及び前記移動対象ユニットの少なくとも一方に所与の効果を付与する攻撃制御処理を実行する、構成を有している。
【００２１】
この構成により、本発明は、他のプレーヤユニットを経路対象マスから他のマスに移動させることでプレーヤユニット群を有利に攻撃させるため、また、その逆に、対戦ユニット群を不利に攻撃させるための効果を付与することによって、プレーヤユニットの移動に対する戦略性を重要視させることができるので、ゲームの興趣性を向上させることができる。
【００２２】
なお、「所与の効果を付与する攻撃制御処理」には、攻撃制御処理によって攻撃を行うプレーヤユニットが有するパラメータのアップ（規定されている最大値のアップ）、当該パラメータのゲージアップ（現時点で規定されているパラメータの最大値の範囲内でのパラ−メタのアップ、すなわち、対戦ゲーム中に減少したパラメータの回復）、当該プレーヤユニットが有する特定の能力（スキル）の発動、及び、他のプレーヤユニットと連携して攻撃を行うコンボ攻撃のユニットとしての選出が含まれる。
【００２３】
（４）また、本発明のプログラムは、
前記移動制御手段が、
（１）前記プレーヤユニット又は前記プレーヤユニット群の各プレーヤユニットのユニット特性、
（２）前記移動制御処理の対象となる他のユニット又は当該他のユニットが属する対戦ユニット群における各ユニット特性、
（３）前記経路対象マスの地形属性、及び、
（４）当該経路対象マスの周辺のマスの地形属性
の少なくともいずれか一方に基づいて、前記移動対象ユニットに対する移動態様を決定して前記移動制御処理を実行する、構成を有している。
【００２４】
この構成により、本発明は、プレーヤユニットや他のユニットのユニット属性、又は、経路対象マスや当該経路対象マスの周辺のマスの地形属性に基づいて移動態様を決定するので、プレーヤユニットの移動する位置やその経路に重要性を持たせることができる。
【００２５】
したがって、本発明は、操作対象プレーヤユニットの移動に対する戦略性を重要視させることができるので、ゲームの興趣性を向上させることができる。
【００２６】
なお、「移動態様」には、例えば、移動対象ユニットの移動の可否、当該移動対象ユニットの移動先のマスの位置、及び、経路対象マスから移動するマスまで移動経路を基準に右回りで移動するか左回りで移動するかなどの当該移動対象ユニットの入れ替わる方向が含まれる。
【００２７】
また、「ユニット特性」には、攻撃能力、防御能力や移動能力（俊敏性、移動速度や移動方向特性）などのユニット特性（ユニット能力）、又は、ヒットポイント、攻撃や防御などのパラメータの各特性、及び、各ユニットのゲーム上の役割などの属性を含む。
【００２８】
さらに、「地形属性」には、例えば、経路対象マスが「橋」や「山道」などの左右に移動不能な要因を有することによってユニットの移動の可否を定める地形特性又は当該経路対象マスに隣接するマスに「岩石」があるなど当該経路対象マスからの移動を妨害するための地形特性を含む。
【００２９】
（５）また、本発明のプログラムは、
前記移動制御手段が、
前記プレーヤユニットのユニット属性又は前記プレーヤユニット群の各プレーヤユニットのユニット属性に基づいて、前記ターンの期間を決定し、当該決定したターンの期間に基づいて前記移動制御処理を実行する、構成を有している。
【００３０】
この構成により、本発明は、プレーヤユニットや他のユニットのユニット属性に基づいて、ターンの期間を決定することによって、プレーヤユニット群の組み方も戦略上重要視させることができるので、ゲームの興趣性を向上させることができる。
【００３１】
（６）また、本発明のプログラムは、
前記移動制御手段が、
前記移動対象ユニットが前記プレーヤユニットの場合に、当該他のユニットを当該経路対象マスから他のマスに移動させる移動制御処理を実行し、前記移動対象ユニットが前記対戦ユニットの場合に前記移動制御処理を中止する、構成を有している。
【００３２】
この構成により、本発明は、プレーヤユニットのみ経路対象マスから移動させることができるので、対戦ユニットの移動を検討せずに、プレーヤユニットを有利に配置させることができる。
【００３３】
したがって、本発明は、対戦ユニットをも移動させる場合よりも、戦略を練りやすくなるので、ゲームの難しさから生じる興趣性の低下を防止することができる。
【００３４】
（７）また、本発明のプログラムは、
各ユニットのゲームに関する表示を制御する表示制御手段として更に前記コンピュータを機能させ、
前記攻撃制御手段が、
各ユニットに予め設定されているマスを基準とした攻撃可能範囲に基づいて、前記攻撃制御処理を実行し、
前記表示制御手段が、
前記他のユニットを当該経路対象マスから他のマスに移動させた場合に、各ユニットにおける攻撃対象となる攻撃対象ユニットが変更された場合に、当該変更されたことを表示する、構成を有している。
【００３５】
この構成により、本発明は、他のユニットを当該経路対象マスから他のマスに移動させた場合に、各ユニットにおける攻撃対象となる攻撃対象ユニットが変更したことを明示することができるので、プレーヤユニットの操作中における戦略性を構築する際にプレーヤに適切な判断をサポートすることができる。
【００３６】
なお、「攻撃対象ユニットが変更された場合」には、攻撃対象ユニットが存在しなかった状態から存在する状態になった場合やその逆も含む。
【００３７】
（８）また、本発明のプログラムは、
前記攻撃制御手段が、
前記配置された各プレーヤユニットのマスの位置と、前記各ユニットのユニット属性及び当該各ユニットが配置されているマスの地形属性の少なくともいずれか一方と、に基づいて、各プレーヤユニットが前記対戦ユニット群を攻撃する攻撃制御処理を実行する、構成を有している。
【００３８】
この構成により、本発明は、例えば、遠方攻撃可能、又は、近接攻撃可能などのユニット属性を有するプレーヤユニットを一定の距離離隔させて配置させて攻撃させ、また、遠方攻撃に弱いユニット属性を有する対戦ユニットを近接攻撃に弱い対戦ユニットの近傍に配置させて攻撃させるなど、各プレーヤユニットのマスの位置とユニット属性とに基づいて、攻撃態様を変化させることができる。
【００３９】
また、本発明は、例えば、沼地の属性を有するマスの位置に配置されたユニットの攻撃力を一定割合低下させて攻撃制御処理を実行し、又は、水の属性を有するマスの位置に配置されたユニットであって、当該ユニットのユニット属性が「水」の場合に、当該ユニットの攻撃力を所定の割合増加させて攻撃制御処理を実行するなど、各プレーヤユニットのマスの位置と地形属性と、又は、各プレーヤユニットのマスの位置と地形属性とユニット属性と、に基づいて、攻撃態様を変化させることができる。
【００４０】
したがって、本発明は、ユニットが配置されたマスの位置、ユニット属性又は当該マスの地域属性に基づいて攻撃制御処理が異なるので、プレーヤユニットの移動に対する戦略性を重要視させることができるとともに、ゲームの興趣性を向上させることができる。
【００４１】
（９）また、本発明のプログラムは、
前記攻撃制御手段が、
各プレーヤユニットがそれぞれ対応する第２の位置に配置された状態で前記対戦ユニットに対する攻撃制御処理を実行する、構成を有している。
【００４２】
この構成により、本発明は、各ユニットを移動させてその配置が完了したマスの位置で、プレーヤユニット又は対戦ユニットに対して攻撃を実行することができるので、プレーヤの戦略を確実に反映させた位置で対戦ゲームを行うことができる。
【００４３】
したがって、本発明は、プレーヤユニットの移動結果に基づいて攻撃制御処理を実行することができるので、戦略を容易に検討することができるとともに、その結果、戦略を検討する時間を長くすることができるとともに、ゲームの興趣性を向上させることができる。
【００４４】
（１０）また、本発明のプログラムは、
前記攻撃制御手段が、
予め定められた条件を具備した場合に、前記攻撃制御処理を実行する、構成を有している。
【００４５】
この構成により、本発明は、予め定められたタイミングから所定の時間経過した場合、又は、全てのプレーヤユニット又は対戦ユニットを含めて全てのユニットの移動動作が完了した場合などの条件が具備するまでにプレーヤユニットの移動操作を行う必要があるので、ゲームに対する焦燥感を煽ることによってゲームに対する興趣性を向上させることができる。
【００４６】
（１１）また、本発明のプログラムは、
前記予め定められた条件が、前記対戦ゲーム中の進行条件によって変化する、構成を有している。
【００４７】
この構成により、本発明は、プレーヤのゲームレベルやプレーヤユニット又はプレーヤユニット群のレベルをアップさせること、又は、所定のアイテムを獲得させることなどによって攻撃を行うタイミングを早め、又は、遅くすることができるので、ゲーム進行させるための興趣性を向上させることができる。
【００４８】
（１２）また、本発明のプログラムは、
前記攻撃制御手段が、
予め定められた条件を具備した場合に、複数のプレーヤユニットに連携して前記攻撃制御処理を実行する、構成を有している。
【００４９】
この構成により、本発明は、プレーヤユニットにおいて、他のプレーヤユニットが移動経路に基づく移動中に、経路対象マスから移動した回数が所定回数以上になった場合、又は、移動制御処理によって２つのプレーヤプレーヤが予め定められた範囲に配置された場合など、予め定められた条件を具備した場合に、ユニット同士の連携攻撃（すなわち、コンボ攻撃）を実行させることができる。
【００５０】
したがって、本発明は、プレーヤユニットの移動に対する戦略性を重要視させることができるので、ゲームの興趣性を向上させることができる。
【００５１】
（１３）上記課題を解決するため、本発明のゲーム装置は、
複数のマスから構成されるフィールドを用いて、所定のターン毎に、プレーヤユニットと当該プレーヤユニットと対戦する対戦ユニットとの対戦ゲームを実行するゲーム装置であって、
プレーヤの操作に基づいて、前記マスを各ユニットの移動単位として、当該プレーヤ又は１以上の前記プレーヤユニットを含むプレーヤユニット群に割り当てられたターンの期間内に、各プレーヤユニットを前記フィールド上の移動可能範囲内で移動させて所望のマスに配置する移動制御処理を実行する移動制御手段と、
前記配置された各プレーヤユニットのマスの位置に基づいて、当該各プレーヤユニットが１以上の前記対戦ユニットから構成される対戦ユニット群を攻撃する攻撃制御処理を実行する攻撃制御手段と、
を備え、
前記移動制御手段が、
前記プレーヤの操作に基づいて所与のフィールド上の第１の位置から所望する第２の位置に各プレーヤユニットを配置する場合であって、前記第１の位置から前記第２の位置までの移動経路上のマスを示す経路対象マスに、他のユニットが存在する場合には、前記他のユニットを移動対象ユニットとして当該経路対象マスから他のマスに移動させる移動制御処理を実行する構成を有している。
【００５２】
この構成により、本発明は、マス上の配置が重要な対戦ゲームにおいて、プレーヤユニットの移動操作によって、プレーヤユニット群を構成する各プレーヤユニットを対戦ユニ
ットとの対戦上において有利になるように、また、対戦ユニット群を構成する各対戦ユニットに対して対戦上において不利になるように移動させて対戦ゲームを進行させることができる。
【００５３】
この結果、本発明は、対戦ゲームを進行させる上で、対戦ゲームにパズル的な要素を包含させることによって、プレーヤユニットに対するマス上を移動させるための戦略を重要視したゲームを提供することができるので、高度な戦略眼が必要となる新たな興趣性を有する魅力のある対戦ゲームを提供することができる。
【図面の簡単な説明】
【００５４】
【図１】一実施形態のゲームシステムの構成を示すシステム構成の一例を示す図である。
【図２】一実施形態におけるサーバ装置の構成を示す機能ブロック図の一例である。
【図３】一実施形態における端末装置の構成を示す機能ブロック図の一例である。
【図４】一実施形態における端末装置の外観構成を示す図の一例である。
【図５】一実施形態におけるシミュレーションゲームのゲーム画像の一例を示す図である。
【図６】一実施形態の連動移動制御処理の概念を説明するための図である。
【図７】一実施形態のユニット特性に含まれるキャラクタ特性及び移動特性を説明するための図である。
【図８】一実施形態のユニット特性に含まれる攻撃特性を説明するための図である。
【図９】一実施形態のプレーヤユニットにおける連動移動制御処理を説明するための図（その１）である。
【図１０】一実施形態のプレーヤユニットにおける連動移動制御処理を説明するための図（その２）である。
【図１１】一実施形態のプレーヤユニットにおける連動移動制御処理を説明するための図（その３）である。
【図１２】一実施形態のプレーヤユニットにおける連動移動制御処理を説明するための図（その４）である。
【図１３】一実施形態のプレーヤユニットにおける連動移動制御処理を説明するための図（その５）である。
【図１４】一実施形態のプレーヤユニットにおける連動移動制御処理を説明するための図（その６）である。
【図１５】一実施形態の端末装置によって実行されるプレーヤユニット群における移動制御処理及び攻撃制御処理の動作を示すフローチャートである。
【図１６】一実施形態の端末装置によって実行される対戦ユニット群における移動制御処理及び攻撃制御処理の動作を示すフローチャートである。
【発明を実施するための形態】
【００５５】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００５６】
［１］ゲームシステム
まず、図１を用いて本実施形態のゲームシステム１の概要及び概要構成について説明する。なお、図１は、本実施形態のゲームシステム１の構成を示すシステム構成の一例を示す図である。
【００５７】
本実施形態のゲームシステム１は、図１に示すように、ゲームサービスを提供するサーバ装置１０と、端末装置２０（例えば、端末装置２０Ａ、２０Ｂ、２０Ｃ）とが、インターネット（ネットワークの一例）に接続可能に構成されている。
【００５８】
ユーザは、端末装置２０からサーバ装置１０にアクセスすることにより、インターネットを介してサーバ装置１０からゲームを取得し、当該ゲームのプレーをすることができる。さらに、ユーザは端末装置２０からサーバ装置１０にアクセスすることにより、他のユーザとの間でコミュニケーションを図りつつ、ゲームを実行することができるようになっている。
【００５９】
特に、サーバ装置１０は、インターネットを介して通信接続された端末装置２０を用いて、ユーザにゲームをプレーさせるサービスを提供することが可能な情報処理装置である。なお、サーバ装置１０は、コミュニケーション型のサービスを提供するＳＮＳサーバとして機能することも可能である。また、ＳＮＳサーバとは、例えば、複数のユーザ間でコミュニケーションを提供することが可能なサービスを提供する情報処理装置を示す。
【００６０】
また、サーバ装置１０は、例えば、ＳＮＳサーバとして機能する場合には、提供するＳＮＳの動作環境（ＡＰＩ（アプリケーションプログラミングインタフェース）、プラットフォーム等）を利用して実行されるソーシャルゲーム（Ｓｏｃｉａｌ  Ｇａｍｅ）をと呼ばれるゲームを提供することができるようになっている。
【００６１】
具体的には、サーバ装置１０は、端末装置２０のＷｅｂブラウザ上で提供されるゲーム、例えばＨＴＭＬ、ＦＬＡＳＨ、ＣＧＩ、ＰＨＰ、ｓｈｏｃｋｗａｖｅ、Ｊａｖａ（登録商標）アプレット、ＪａｖａＳｃｒｉｐｔ（登録商標）など様々な言語で作られたブラウザゲーム（Ｗｅｂブラウザで設置サイトを開くだけで起動するゲーム）を提供することができるようになっている。
【００６２】
なお、ソーシャルゲームとは、既存のオンラインゲームとは違い、専用のクライアントソフトウェアを必要とせず、ＷｅｂブラウザとＳＮＳのアカウントのみで利用可能なゲームが含まれる。また、サーバ装置１０は、ネットワークを介して他のユーザの端末（スマートフォン、パソコン、ゲーム機など）と接続し、オンラインで同時に同じゲーム進行を共有することができるオンラインゲームを提供することが可能な構成を有している。
【００６３】
一方、サーバ装置１０は、１つの（装置、プロセッサ）で構成されていてもよいし、複数の（装置、プロセッサ）で構成されていてもよい。
【００６４】
そして、サーバ装置１０の記憶領域（後述する記憶部１４０）に記憶される課金情報、ゲーム情報等の情報を、ネットワーク（イントラネット又はインターネット）を介して接続されたデータベース（広義には記憶装置、メモリ）に記憶するようにしてもよいし、ＳＮＳサーバとして機能する場合には、記憶領域に記憶されるユーザ情報１４６等の情報を、ネットワーク（イントラネット又はインターネット）を介して接続されたデータベース（広義には記憶装置、メモリ）に記憶するようにしてもよい。
【００６５】
具体的には、本実施形態のサーバ装置１０は、端末装置２０のユーザ（すなわち、ゲームを実行するプレーヤ）の操作に基づく入力情報を受信し、受信した入力情報に基づいてゲーム処理を行うようになっている。
【００６６】
そして、サーバ装置１０は、ゲーム処理結果を端末装置２０に送信する。なお、端末装置２０は、サーバ装置１０から受信したゲーム処理結果を端末装置２０にユーザに閲覧可能に提供する各種の処理を行う構成を有している。
【００６７】
端末装置２０は、スマートフォン、携帯電話、ＰＨＳ、コンピュータ、ゲーム装置、ＰＤＡ、携帯型ゲーム機等、画像生成装置などの情報処理装置であり、インターネット（Ｗ
ＡＮ）、ＬＡＮなどのネットワークを介してサーバ装置１０に接続可能な装置である。なお、端末装置２０とサーバ装置１０との通信回線は、有線でもよいし無線でもよい。
【００６８】
また、端末装置２０は、Ｗｅｂページ（ＨＴＭＬ形式のデータ）を閲覧可能なＷｅｂブラウザを備えている。すなわち、端末装置２０は、サーバ装置１０との通信を行うための通信制御機能、及びサーバ装置１０から受信したデータ（Ｗｅｂデータ、ＨＴＭＬ形式で作成されたデータなど）を用いて表示制御を行うとともに、ユーザ操作のデータをサーバ装置１０に送信するＷｅｂブラウザ機能などを備え、ゲーム画面をユーザに提供する各種の処理を実行し、ユーザによってゲームを実行させるようになっている。ただし、端末装置２０は、サーバ装置１０から提供されたゲーム制御情報を取得して所定のゲーム処理を実行し、ゲーム処理に基づくゲームを実行してもよい。
【００６９】
具体的には、端末装置２０は、所定ゲームを行う旨の要求をサーバ装置１０に対して行うと、サーバ装置１０のゲームサイトに接続され、ゲームが開始される。特に、端末装置２０は、必要に応じてＡＰＩを用いることにより、ＳＮＳサーバとして機能するサーバ装置１０に所定の処理を行わせ、又は、ＳＮＳサーバとして機能するサーバ装置１０が管理するユーザ情報１４６を取得させてゲームを実行する構成を有している。
【００７０】
［２］サーバ装置
次に、図２を用いて本実施形態のサーバ装置１０について説明する。なお、図２は、本実施形態のサーバ装置１０の機能ブロックを示す図である。また、本実施形態のサーバ装置１０は図２の構成要素（各部）の一部を省略した構成としてもよい。
【００７１】
サーバ装置１０は、管理者やその他の入力に用いるための入力部１２０、所定の表示を行う表示部１３０、所定の情報が記憶された情報記憶媒体１８０、端末装置２０やその他と通信を行う通信部１９６、主に提供するゲームに関する処理を実行する処理部１００、及び、主にゲームに用いる各種のデータを記憶する記憶部１４０を含む。
【００７２】
入力部１２０は、システム管理者等がゲームに関する設定やその他の必要な設定、データの入力に用いるものである。例えば、本実施形態の入力部１２０は、マウスやキーボード等によって構成される。
表示部１３０は、システム管理者用の操作画面を表示するものである。例えば、本実施形態の表示部１３０は、液晶ディスプレイ等によって構成される。
【００７３】
情報記憶媒体１８０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などによって構成される。
【００７４】
通信部１９６は外部（例えば、端末、他のサーバや他のネットワークシステム）との間で通信を行うための各種制御を行うものであり、その機能は、各種プロセッサ又は通信用ＡＳＩＣなどのハードウェアや、プログラムなどによって構成される。
【００７５】
記憶部１４０は、処理部１００や通信部１９６などのワーク領域となるもので、その機能は、ＲＡＭ（ＶＲＡＭ）などによって構成される。なお、記憶部１４０に記憶される情報は、データベースで管理してもよい。
【００７６】
また、本実施形態においては、記憶部１４０には、提供するゲームに関する情報を示すゲーム情報１４４、提供するゲームに関しプレーヤとしてのユーザに関する情報を示すユーザ情報１４６、及び、その他ゲーム演算に必要な各種の情報が記憶される。
【００７７】
処理部１００は、記憶部１４０内の主記憶部１４２をワーク領域として各種処理を行う。処理部１００の機能は各種プロセッサ（ＣＰＵ、ＤＳＰ等）、ＡＳＩＣ（ゲートアレイ等）などのハードウェアや、プログラムにより実現できる。
【００７８】
処理部１００は、情報記憶媒体１８０に格納されるプログラム（データ）に基づいて本実施形態の種々の処理を行う。即ち情報記憶媒体１８０には、本実施形態の各部としてコンピュータを機能させるためのプログラム（各部の処理をコンピュータに実行させるためのプログラム）が記憶される。
【００７９】
例えば、処理部１００（プロセッサ）は、情報記憶媒体に記憶されているプログラムに基づいて、サーバ装置１０全体の制御を行うとともに、各部間におけるデータ等の受け渡しの制御などの各種の処理を行う。さらに、端末装置２０からの要求に応じた各種サービスを提供する処理を行う。
【００８０】
具体的には、本実施形態の処理部１００は、通信制御部１０１、Ｗｅｂ処理部１０２及びゲーム管理部１０４を少なくとも有している。
【００８１】
通信制御部１０１は、端末装置２０とネットワークを介してデータを送受信する処理を行う。すなわち、サーバ装置１０は、通信制御部１０１によって端末装置２０等から受信した情報に基づいて各種処理を行う。
【００８２】
特に、本実施形態の通信制御部１０１は、ユーザの端末装置２０からの要求に基づいて、ゲーム画面を、当該ユーザの端末装置２０に送信する処理を行う。
【００８３】
Ｗｅｂ処理部１０２は、Ｗｅｂサーバとして機能する。例えば、Ｗｅｂ処理部１０２は、ＨＴＴＰ（Ｈｙｐｅｒｔｅｘｔ  Ｔｒａｎｓｆｅｒ  Ｐｒｏｔｏｃｏｌ）等の通信プロトコルを通じて、端末装置２０にインストールされているＷｅｂブラウザの要求に応じてデータを送信する処理、及び、端末装置２０のＷｅｂブラウザによって送信されるデータを受信する処理を行う。
【００８４】
なお、本実施形態では、サーバ装置１０がＳＮＳサーバとしての機能も備えていている場合を例にとり説明するが、サーバ装置１０を、ゲーム用のサーバと、ＳＮＳ用のサーバと別々に形成してもよい。また、本実施形態のゲームの処理は、サーバ装置１０が一部又は全部を行ってもよいし、端末装置２０が一部を行ってもよい。
【００８５】
ゲーム管理部１０４は、端末装置２０と連動し、当該端末装置２０を介して入力されたプレーヤの操作に基づいて、各プレーヤにおいてロールプレーイングゲーム（ＲＰＧ）や対戦ゲームに関するゲーム処理を実行するとともに、各ユーザのゲームの進行状況やアイテム管理などの各ユーザにおいて使用するキャラクタ（後述するユニット）及び各種のアイテムを含むユーザ情報１４６を管理する。
【００８６】
また、ゲーム管理部１０４は、後述するように、各プレーヤユニットの配置などの所定の操作が実行された場合に、当該操作を含むユーザが設定した各種のデータに基づいて自動的にゲームを実行するための自動演算処理を実行し、端末装置２０で再生するためのデータを生成し、生成したデータを端末装置２０に提供する。
【００８７】
［３］端末装置
次に、図３及び図４を用いて本実施形態の端末装置２０について説明する。なお、図３は、本実施形態における端末装置２０の構成を示す機能ブロック図の一例であり、図４は、本実施形態における端末装置２０の外観構成を示す図の一例である。また、本実施形態の端末装置２０は図３の構成要素（各部）の一部を省略した構成としてもよい。
【００８８】
入力部２６０は、プレーヤが操作データを入力するためのものであり、その機能は、タッチパネル若しくはタッチパネル型ディスプレイ、十字キーやテンキーなどの所定の操作キー、又は、コントローラなどにより実現できる。
【００８９】
例えば、入力部２６０がタッチパネルやタッチパネル型ディスプレイによって構成されている場合には、画像が表示される画面上における２次元の指示位置座標（ｘ，ｙ）を検出可能な検出部２６２を備えている。例えば、入力部２６０は、接触検出領域（タッチパネル）における、２次元の接触位置座標（ｘ，ｙ）を検出可能な検出部２６２を備えている。
【００９０】
また、本実施形態において、接触位置は、プレーヤの接触操作（直接的な接触及びポインティングデバイスによる間接的な接触も含む）により、接触検出領域から得られる位置情報である。
【００９１】
なお、本実施形態のプレーヤの接触操作には、ユーザの指によるタッチパネル１２上への直接的なタッチ操作又はスライド操作、及び、ポインティングデバイスなどのデバイスを介して実行される間接的なタッチパネル１２上へのタッチ操作又はスライド操作の他に、タッチパネル１２に直接的及び間接的にタッチ操作又はスライド操作をせずに、タッチパネル１２上への擬似的なタッチ操作又はスライド操作も含まれる。
【００９２】
例えば、擬似的なタッチ操作又はスライド操作とは、
（１）赤外線などの光ビームをタッチパネル面と平行に当該タッチパネル面に近接した位置で照射し、当該タッチパネル１２の一端部に縦横方向に一定間隔に形成される複数の照射部と、各照射部と対を構成し、当該各照射部に対向するタッチパネルの他端部に設けられ、各照射された光ビームをそれぞれ受信する複数のセンサとによって、タッチパネル１２に接触又は近接した際に光ビームが遮断された縦横の座標を検出し、当該検出した座標に基づいて認識するタッチ操作又はスライド操作、及び、 
（２）タッチパネル１２の表示面を撮像するカメラを設け、当該カメラによってユーザがタッチパネル１２に接触又は近接した位置座標を検出し、当該検出した位置座標に基づいて認識するタッチ操作又はスライド操作、
などタッチパネル１２に実際に接触することによって又は近接させて検出することによって認識するタッチ操作又はスライド操作を含む。
【００９３】
また、接触検出領域に同時に複数の接触位置が検出される場合には、いずれか１つの接触位置（先に検出された接触位置）を用いるようにしてもよいし、複数の接触位置を同時に処理してもよい。
【００９４】
なお、接触検出領域に複数の判定領域が存在する場合には、各判定領域において、１つの接触位置（先に検出された接触位置）を用いるようにしてもよい。また、判定領域とは、取得した接触位置のうち、移動制御など処理部２００で処理するための接触位置を予め特定する接触検出領域上の範囲である。
【００９５】
特に、本実施形態では、図４（Ａ）及び（Ｂ）に示す表示画面（ディスプレイ）１２が、液晶ディスプレイと、プレーヤ（操作者、ユーザ）の接触位置を検出するためのタッチパネルとが積層されたタッチパネル型ディスプレイとなっている。すなわち、本実施形態では、表示画面１２が入力部２６０として機能するとともに表示部２９０としても機能する。
【００９６】
なお、表示画面（以下、特別な場合を除き「タッチパネル」という。）１２への接触操
作は、指先を用いて行うようにしてもよいし、タッチペンなどの入力デバイスを用いて行うようにしてもよい。
【００９７】
また、入力部２６０は、指示位置以外の操作情報（操作信号）を入力可能なボタンやレバー、キーボード、ステアリング、マイク、加速度センサなどを備えていてもよい。
【００９８】
記憶部２７０は、処理部２００や通信部２９６などのワーク領域となるもので、その機能はＲＡＭ（ＶＲＡＭ）などにより実現できる。そして、本実施形態の記憶部２７０は、ワーク領域として使用される主記憶部２７１と、最終的な表示画像等が記憶される画像バッファ２７２と、提供するゲームに関しプレーヤとしてのユーザに関する情報を示すユーザ情報２７３と、テーブルデータなどのゲームを実行する上で必要な各種のデータを記憶するゲームデータ記憶部２７４と、を含む。なお、これらの一部を省略する構成としてもよいし、サーバ装置１０の記憶部１４０がその一部を構成してもよい。
【００９９】
特に、ゲームデータ記憶部２７４には、
（１）ゲームに用いるキャラクタやコマ（将棋やチェスのコマ）などのプレーヤのユニット（以下、「プレーヤユニット」という。）及び対戦ゲームの対戦側（コンピュータ（ＣＰＵ）や他のプレーヤ）のユニット（以下、「対戦ユニット」という。）として用いるユニットに関するデータ
（２）プレーヤユニットや対戦ユニットに設定するアイテムや実行させるためのコマンド（以下、まとめて「コマンド」ともいう。）及びそれに関するデータ、及び、
（３）対戦ゲームが実行される複数のフィールド及び各フィールドの各マスの地形属性を示す地形属性情報など各フィールドに関するデータ
が記憶される。
【０１００】
なお、各ユニットに関するデータには、例えば、各ユニットの攻撃力、攻撃特性、防御力、防御特性などの攻撃や防御に関する特性又は能力を示すユニットに関する特性（以下、「ユニット特性」ともいう。）、「火」や「水」などのゲーム上の役割に応じて設定された属性、複数のマスから構成されるフィールド（マップ）の移動可能範囲を示す移動特性に関するデータが含まれる。
【０１０１】
また、攻撃力や防御力としては、例えば、１０段階や５段階のパラメータ、又は、３桁の数字などのパラメータが規定されており、当該パラメータの値によって攻撃や防御する際のヒットポイントの演算に用いられる。
【０１０２】
さらに、攻撃特性又は防御特性としては、例えば、対象ユニットから２マス以内の四方に攻撃を可能とする移動単位としてのマスに基づく攻撃範囲や防御範囲、又は、魔法、アイテムやコンボ攻撃などの攻撃の種別や防御の種別が規定される。
【０１０３】
一方、ユーザ情報２７３には、
（１）ゲーム実行中のプレーヤユニット及びそれに関するデータ、
（２）プレーヤと対戦ゲームで対戦中の対戦ユニット及びそれに関するデータ、及び、
（３）上記以外のゲームの進行に必要なプレーヤに関するデータ、
が記憶される。
【０１０４】
例えば、プレーヤユニットに関するデータとしては、プレーヤがゲームを進行させるために当該プレーヤが有する複数のプレーヤユニットの中から、ゲーム内で使用する複数のプレーヤユニットをプレーヤユニット群として設定したデッキのデータ（以下、「デッキデータ」ともいう。）が含まれる。
【０１０５】
また、対戦ユニットに関するデータとしては、同様に、プレーヤと対戦する複数の他の対戦ユニットの中から、ゲーム内で使用する複数の対戦ユニットを対戦ユニット群として設定したデッキデータが含まれる。
【０１０６】
情報記憶媒体２８０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などにより実現できる。
【０１０７】
また、情報記憶媒体２８０には、本実施形態の各部としてコンピュータを機能させるためのプログラム（各部の処理をコンピュータに実行させるためのプログラム）を記憶することができる。なお、処理部２００は、後述するように、情報記憶媒体２８０に格納されるプログラム（データ）に基づいて本実施形態の種々の処理を行う。
【０１０８】
表示部２９０は、本実施形態により生成された画像を出力するものであり、その機能は、ＣＲＴ、ＬＣＤ、タッチパネル型ディスプレイ、或いはＨＭＤ（ヘッドマウントディスプレイ）などにより実現できる。
【０１０９】
特に、本実施形態では表示部２９０は、タッチパネルディスプレイを用いることによりプレーヤがゲーム操作を行う入力部２６０としても機能する。ここでタッチパネルとして、例えば抵抗膜方式（４線式、５線式）、静電容量方式、電磁誘導方式、超音波表面弾性波方式、赤外線走査方式などのタッチパネルを用いることができる。
【０１１０】
音出力部２９２は、本実施形態により生成された音を出力するものであり、その機能は、スピーカ、或いはヘッドフォンなどにより実現できる。
【０１１１】
通信部２９６は、外部（例えばホスト装置や他の端末装置）との間で通信を行うための各種制御を行うものであり、その機能は、各種プロセッサ又は通信用ＡＳＩＣなどのハードウェアや、プログラムなどにより実現できる。
【０１１２】
なお、端末装置２０は、サーバ装置１０が有する情報記憶媒体や記憶部２７０に記憶されている本実施形態の各部としてコンピュータを機能させるためのプログラムやデータを、ネットワークを介して受信し、受信したプログラムやデータを情報記憶媒体２８０や記憶部２７０に記憶してもよい。このようにプログラムやデータを受信して端末装置２０を機能させる場合も本発明の範囲内に含めることができる。
【０１１３】
処理部２００（プロセッサ）は、入力部２６０からの入力データやプログラムなどに基づいて、サーバ装置１０と連動して、ゲーム処理、画像生成処理、或いは音生成処理などの処理を行う。
【０１１４】
特に、本実施形態においては、ゲーム処理としては、ゲーム開始条件が満たされた場合にゲームを開始する処理、ゲームを進行させる処理、プレーヤオブジェクト、敵オブジェクトなどのオブジェクトを配置する処理、オブジェクトを表示する処理、ゲーム結果を演算する処理、或いはゲーム終了条件が満たされた場合にゲームを終了する処理などが含まれる。
【０１１５】
また、処理部２００は、記憶部２７０をワーク領域として各種処理を行う。処理部２００の機能は、各種プロセッサ（ＣＰＵ、ＤＳＰ等）、ＡＳＩＣ（ゲートアレイ等）などのハードウェアや、プログラムにより実現できる。
【０１１６】
特に、本実施形態の処理部２００は、オブジェクト空間設定部２１０と、操作検出処理部２１１と、表示制御部２１２と、移動処理部２１４と、ゲーム演算部２１５と、仮想カメラ制御部２１６と、ゲーム管理部２１７と、描画部２２０と、音処理部２３０とを含む。また、これらの一部を省略する構成としてもよい。
【０１１７】
なお、例えば、本実施形態の操作検出処理部２１１は、本発明の操作手段を構成し、表示制御部２１２は、本発明の表示制御手段を構成する。また、例えば、本実施形態の移動処理部２１４は、本発明の移動制御手段を構成し、ゲーム演算部２１５は、本発明の攻撃制御手段を構成する。
【０１１８】
オブジェクト空間設定部２１０は、オブジェクト（プレーヤオブジェクト、移動体、敵オブジェクト）、移動経路、建物、樹木、柱、壁、マップ（地形）などの表示物を表す各種オブジェクト（スプライト、ビルボード、ポリゴン、自由曲面又はサブディビジョンサーフェスなどのプリミティブ面で構成されるオブジェクト）をオブジェクト空間（以下、「ゲーム空間」ともいう。）に配置設定する処理を行う。
【０１１９】
具体的にはオブジェクト空間設定部２１０は、オブジェクト（モデルオブジェクト）の位置や回転角度（向き、方向と同義）を決定し、その位置（Ｘ、Ｙ）或いは（Ｘ、Ｙ、Ｚ）にその回転角度（Ｘ、Ｙ軸回りでの回転角度）或いは（Ｘ、Ｙ、Ｚ軸回りでの回転角度）でオブジェクトを配置する。
【０１２０】
なお、オブジェクト空間とは、いわゆる仮想２次元空間、仮想３次元空間の両方を含む。２次元空間とは、例えば２次元座標（Ｘ，Ｙ）においてオブジェクトが配置される空間であり、３次元空間とは、例えば３次元座標（Ｘ，Ｙ，Ｚ）においてオブジェクトが配置される空間である。
【０１２１】
また、オブジェクト空間を２次元空間とした場合には、複数のオブジェクトそれぞれについて設定された優先順位に基づいてオブジェクトを配置する。例えば、奥側にあるように見せたいオブジェクト（スプライト）から順にオブジェクトを配置し、手前側にあるように見せたいオブジェクトを重ねて配置する処理を行うことができる。
【０１２２】
そして、描画サイズが大きなオブジェクトを画像の下方に配置し、描画サイズが小さなオブジェクトを画像の上方に配置すれば、画面の上方に対応するオブジェクト空間が奥側にあるように見せることができ、画面の下方に対応するオブジェクト空間が手前側にあるように見せることができる。
【０１２３】
一方、オブジェクト空間を３次元空間とした場合には、ワールド座標系にオブジェクトを配置する。
【０１２４】
操作検出処理部２１１は、プレーヤが入力部２６０から入力した入力情報の認識処理を行う。具体的には、本実施形態の操作検出処理部２１１は、タッチ操作入力を検出する場合には、入力部２６０によって入力された指示位置を取得する。
【０１２５】
例えば、操作検出処理部２１１は、タッチ操作入力を検出する場合には、プレーヤの接触操作（すなわち、タッチ操作）を検出する接触検出領域（タッチパネル）における接触位置（２次元の接触位置座標）を指示位置として取得する。
【０１２６】
すなわち、操作検出処理部２１１は、プレーヤが指でタッチパネル１２にタッチ（以下、「タッチ操作入力」という。）し、当該タッチした状態を維持しつつ、タッチ位置を移動して最後にタッチパネル１２から離す操作（すなわち、スライド操作）を行う期間に相
当する接触操作期間中（スライド操作期間中）における接触位置（指示位置）を取得する。
【０１２７】
特に、操作検出処理部２１１は、
（１）画面へのタッチ操作入力されていない状態（以下、「無接触状態」という。）からタッチ操作入力された状態（以下、「接触状態」という。）への第１の変化（以下、「状態変化」という。）を検出するとともに、当該状態変化が実行された検出位置（以下、「基準位置」ともいう。）を検出する第１の検出処理、及び、
（２）第１の変化の検出後であって当該第１の変化を検出した際（すなわち、無接触状態から接触状態に状態変化した際）のタッチ操作入力が継続されて（すなわち、接触状態が継続されて）スライド操作による入力（以下、「スライド操作入力」という。）が実行されている場合に、当該スライド操作入力の変化（すなわち、指示位置及び当該指示位置の変化）を第２の変化として検出する第２の検出処理、
（３）スライド操作入力中に、画面へのタッチ操作入力がされていない状態（すなわち、スライド操作入力が終了して無接触状態となった場合）を検出する第３の検出処理
を実行する。
【０１２８】
また、操作検出処理部２１１は、所定の周期毎に入力された指示位置を取得する。具体的には、所定の周期とはフレーム毎、例えば、１／６０秒〜１／１２０秒程度とすることができる。
【０１２９】
なお、本実施形態においては、「基準位置」及び「指示位置」としては、上述のようにタッチ操作入力やスライド操作入力によって検出されたタッチパネル１２上の位置だけなく、検出位置から所定の距離離れた位置又はタッチパネル１２の隅などの所定のエリアに形成されたエリアなどの特定のタッチパネル１２上の位置に関連した所定位置も含む。
【０１３０】
表示制御部２１２は、タッチパネル１２上に、プレーヤの指示に基づいて実行されるゲームに関するコンテンツを表示する。特に、表示制御部２１２は、ゲームの進行に応じて、又は、プレーヤの操作入力（例えば、タッチ操作入力やスライド操作入力）に応じてタッチパネル１２上に表示されるコンテンツの表示領域部分をスクロールさせて移動させるスクロール表示処理を制御する。
【０１３１】
なお、本実施形態の「コンテンツ」は、ゲーム（具体的には、ゲームの実行中にゲーム上に構築されるオブジェクト空間）、又は、ゲームに関する所与の設定を行うメニューなどのタッチパネルの画面上に表示可能に形成されるコンテンツであって、当該画面上に表示される部分であると、画面外において非表示となる部分と、から構成されている。
【０１３２】
移動処理部２１４は、オブジェクト空間内におけるオブジェクト（特に、プレーヤユニット、対戦ユニット又はそれ以外の移動体オブジェクト）の移動演算を行う。すなわち、移動処理部２１４は、入力部２６０によりプレーヤが入力した入力データ（モーションデータ含む）、選択されたプレーヤユニット及びそれに対して受け付けたユニット用コマンド、及び、対戦ユニットを移動させるためのプログラム（移動アルゴリズム）などに基づいて、オブジェクトをオブジェクト空間内で移動させ、又は、オブジェクトの動作（モーション、アニメーション）を制御するための処理を行う。
【０１３３】
特に、本実施形態の移動処理部２１４は、オブジェクトの移動情報（移動方向、移動量、移動速度、位置、回転角度、或いは加速度）や動作情報（各パーツオブジェクトの位置、或いは回転角度）を、１フレーム毎に順次求めるシミュレーション処理を行う。ここでフレームとは、オブジェクトの移動処理、動作処理（シミュレーション処理）や画像生成処理を行う時間の単位である。そして、本実施形態では、フレームレートは、固定として
もよいし、処理負荷に応じて可変としてもよい。
【０１３４】
なお、移動処理部２１４は、３次元のオブジェクト空間において入力方向に基づいてオブジェクトを移動させる処理を行ってもよい。例えば、予め、入力方向毎に移動方向を対応づけ、入力方向に対応する移動方向にオブジェクトを移動させる。
【０１３５】
一方、移動処理部２１４は、プレーヤの操作に基づいて、デッキに設定されたプレーヤユニット及び対戦ユニットのマップ内の移動制御、及び、それに伴う他のプレーヤユニットや対戦ユニットの移動制御処理を行う。
【０１３６】
具体的には、移動処理部２１４は、対戦ゲーム中におけるプレーヤユニットにおける移動に関しては、プレーヤの操作に基づいて、フィールドの各マスを各ユニットの移動単位として、プレーヤユニット群に割り当てられたターン（プレーヤの行動をするためのターン（行動フェーズ））の期間内に、各プレーヤユニットをフィールド上の移動可能範囲内で移動させて所望のマスに配置する移動制御処理（以下、「ユニット移動制御処理（プレーヤユニット）」又は「第１移動制御処理」という。）を実行する。
【０１３７】
そして、移動処理部２１４は、ユニット移動制御処理（プレーヤユニット）を実行している際に、移動対象となったプレーヤユニット（以下、「移動対象プレーヤユニット」という。）の移動経路やマスの特性に基づいて、移動対象プレーヤユニットとは異なる他のプレーヤユニットのうち該当するプレーヤユニット及び該当する対戦ユニットを移動させる移動制御処理（以下、「連動移動制御処理（プレーヤユニット）」という。）を実行する。
【０１３８】
また、移動処理部２１４は、対戦ゲーム中における対戦ユニットにおける移動に関しては、ゲーム演算部２１５にける演算結果に基づいて、フィールドの各マスを各ユニットの移動単位として、対戦ユニット群に割り当てられたターン（対戦側の行動フェーズ）の期間内に、各対戦ユニットをフィールド上の移動可能範囲内で移動させて所望のマスに配置する移動制御処理（以下、「ユニット移動制御処理（対戦ユニット）」又は「第２移動制御処理」という。）を実行する。
【０１３９】
そして、移動処理部２１４は、対戦ユニット移動制御処理を実行している際に、移動対象となった対戦ユニット（以下、「移動対象対戦ユニット」という。）の移動経路やマスの特性に基づいて、移動対象対戦ユニットとは異なる他の対戦ユニットのうち該当する対戦ユニット及び該当するプレーヤユニットを移動させる移動制御処理（以下、「連動移動制御処理（対戦ユニット）」という。）を実行する。
【０１４０】
ゲーム演算部２１５は、種々のゲーム演算処理を行う。例えば、ゲーム演算部２１５は、プレーヤの指示に基づいてゲームに使用される複数のプレーヤユニットがデッキに設定されると、当該デッキに設定された各プレーヤユニットを用いてゲームを進行させるための各処理を実行する。
【０１４１】
具体的には、ゲーム演算部２１５は、複数のマスから構成されるマップに基づくオブジェクト空間の形成、ＲＰＧの場合には、ユーザの操作に応じて予め設定されたシナリオに基づくゲームの進行、プレーヤユニットと対戦ユニットとの対戦、及び、当該対戦時のパラメータ管理などのゲームを実行する上で必要な演算処理を行う。
【０１４２】
特に、ゲーム演算部２１５は、対戦ユニット群に割り当てられたターン（対戦側のターン）の期間内に、ユニット移動制御処理（対戦ユニット）を実行するための演算処理、すなわち、対戦ユニット群における各対戦ユニットについて、当該対戦ユニットを配置する
フィールドのマス上の配置位置を演算する配置演算処理を実行する。
【０１４３】
具体的には、ゲーム演算部２１５は、
（１）フィールド上の各プレーヤユニットの配置及び各対戦ユニットの配置と、当該各対戦ユニットの移動特性と、に基づいて、最大限の効果を実現するマスの配置であって前記フィールド上の次に配置すべき１以上の対戦ユニット（以下、「次配置対戦ユニット」という。）における最適なマスの位置を演算する最適配置演算処理、又は、
（２）フィールド上の各プレーヤユニットの配置と、次配置敵ユニットの移動特性と、に基づいて、当該次配置敵ユニットにおける予め定められた効果を実現するマスの位置を演算する通常配置演算処理
のいずれかを配置演算処理として実行する。
【０１４４】
一方、ゲーム演算部２１５は、プレーヤユニット及び対戦ユニットの移動が完了すると、攻撃ターン、防御ターン又は攻撃及び防御ターン毎に対戦ゲームを自動的に進行させるためのゲームの演算を実行する。
【０１４５】
具体的には、ゲーム演算部２１５は、各プレーヤユニット及び各対戦ユニットにおけるフィールド上に配置されたマスの位置と、各ユニットのキャラクタの特性、属性及び各種のパラメータと、必要に応じてフィールドのマスに設定された特性と、に基づいて、プレーヤユニット群と対戦ユニット群との攻撃制御処などプレーヤユニット群と対戦ユニット群との攻撃及び防御を含む対戦ゲームを自動的に演算し、当該演算結果に基づいてゲームを進行させる。
【０１４６】
なお、ゲーム演算部２１５は、リアルタイムによって入力されたプレーヤかの操作入力に基づいてゲームの演算を実行して当該ゲームを進行させてもよい。
【０１４７】
また、ゲーム演算部２１５は、サーバ装置１０と連動して実行するが、その一部又は全部がサーバ装置１０に形成されていてもよい。
【０１４８】
仮想カメラ制御部２１６は、所与の視点から見える画像であって、奥行きがあるように見える画像を生成する。この場合に、仮想カメラ制御部２１６が、オブジェクト空間内の所与（任意）の視点から見える画像を生成するための仮想カメラ（視点）の制御処理を行う。具体的には、仮想カメラの位置（Ｘ、Ｙ、Ｚ）又は回転角度（Ｘ、Ｙ、Ｚ軸回りでの回転角度）を制御する処理（視点位置や視線方向を制御する処理）を行う。
【０１４９】
例えば、仮想カメラによりオブジェクト（例えば、プレーヤユニット、対戦ユニット、ボール又は車）を後方から撮影する場合には、オブジェクトの位置又は回転の変化に仮想カメラが追従するように、仮想カメラの位置又は回転角度（仮想カメラの向き）を制御する。
【０１５０】
この場合には、移動処理部２１４で得られたオブジェクトの位置、回転角度又は速度などの情報に基づいて、仮想カメラを制御できる。或いは、仮想カメラを、予め決められた回転角度で回転させたり、予め決められた移動経路で移動させる制御を行ってもよい。また、この場合には、仮想カメラの位置（移動経路）又は回転角度を特定するための仮想カメラデータに基づいて仮想カメラを制御する。
【０１５１】
なお、仮想カメラ（視点）が複数存在する場合には、それぞれの仮想カメラについて上記の制御処理が行われる。
【０１５２】
ゲーム管理部２１７は、入力部２６０を介して入力されたプレーヤの操作に基づいて、
各プレーヤにおいて対戦ゲーム等のゲームに使用するプレーヤユニット及び各種のアイテムを設定し、ユーザ情報２７３に登録する。
【０１５３】
特に、ゲーム管理部２１７は、デッキを用いてゲームを実行する場合には、設定されたプレーヤユニット及び各種のアイテムをデッキデータとしてユーザ情報２７３に登録する。
【０１５４】
描画部２２０は、処理部２００で行われる種々の処理（ゲーム処理）の結果に基づいて描画処理を行い、これにより画像を生成し、表示部（ディスプレイ）２９０に出力する。描画部２２０が生成する画像は、いわゆる２次元画像であってもよいし、いわゆる３次元画像であってもよい。特に、描画部２２０は、オブジェクト空間における仮想カメラから見える画像であって、画面上に表示する画像を生成する。
【０１５５】
ここで２次元画像を生成する場合には、描画部２２０は、設定された優先度が低いオブジェクトから順に描画して、オブジェクト同士が重なる場合には、優先度の高いオブジェクトを上書きして描画する。
【０１５６】
また、３次元画像を生成する場合には、本実施形態の描画部２２０は、まずオブジェクト（モデル）の各頂点の頂点データ（頂点の位置座標、テクスチャ座標、色データ、法線ベクトル或いはα値等）を含むオブジェクトデータ（モデルデータ）が入力され、入力されたオブジェクトデータに含まれる頂点データに基づいて、頂点処理が行われる。なお、頂点処理を行うに際して、必要に応じてポリゴンを再分割するための頂点生成処理（テッセレーション、曲面分割、ポリゴン分割）を行うようにしてもよい。 
【０１５７】
また、頂点処理では、頂点の移動処理や、座標変換（ワールド座標変換、カメラ座標変換）、クリッピング処理、透視変換、あるいは光源処理等のジオメトリ処理が行われ、その処理結果に基づいて、オブジェクトを構成する頂点群について与えられた頂点データを変更（更新、調整）する。そして、頂点処理後の頂点データに基づいてラスタライズ（走査変換）が行われ、ポリゴン（プリミティブ）の面とピクセルとが対応づけられる。そしてラスタライズに続いて、画像を構成するピクセル（表示画面を構成するフラグメント）を描画するピクセル処理（フラグメント処理）が行われる。
【０１５８】
ピクセル処理では、テクスチャの読出し（テクスチャマッピング）、色データの設定／変更、半透明合成、アンチエイリアス等の各種処理を行って、画像を構成するピクセルの最終的な描画色を決定し、透視変換されたオブジェクトの描画色を画像バッファ２７２（フレームバッファ、ピクセル単位で画像情報を記憶できるバッファ。ＶＲＡＭ、レンダリングターゲット）に出力（描画）する。すなわち、ピクセル処理では、画像情報（色、法線、輝度、α値等）をピクセル単位で設定あるいは変更するパーピクセル処理を行う。
【０１５９】
これにより、オブジェクト空間内に設定された仮想カメラ（所与の視点）から見える画像が生成される。なお、仮想カメラ（視点）が複数存在する場合には、それぞれの仮想カメラから見える画像を分割画像として１画面に表示できるように画像を生成することができる。
【０１６０】
なお、描画部２２０が行う頂点処理やピクセル処理は、シェーディング言語によって記述されたシェーダプログラムによって、ポリゴン（プリミティブ）の描画処理をプログラム可能にするハードウェア、いわゆるプログラマブルシェーダ（頂点シェーダやピクセルシェーダ）により実現されてもよい。プログラマブルシェーダでは、頂点単位の処理やピクセル単位の処理がプログラム可能になることで描画処理内容の自由度が高く、ハードウェアによる固定的な描画処理に比べて表現力を大幅に向上させることができる。
そして、描画部２２０は、オブジェクトを描画する際に、ジオメトリ処理、テクスチャマッピング、隠面消去処理、αブレンディング等を行う。
【０１６１】
ジオメトリ処理では、オブジェクトに対して、座標変換、クリッピング処理、透視投影変換、或いは光源計算等の処理を行う。そして、ジオメトリ処理後（透視投影変換後）のオブジェクトデータ（オブジェクトの頂点の位置座標、テクスチャ座標、色データ（輝度データ）、法線ベクトル、或いはα値等）を記憶部２７０に記憶する。
【０１６２】
テクスチャマッピングでは、記憶部２７０のテクスチャ記憶部に記憶されるテクスチャ（テクセル値）をオブジェクトにマッピングする処理を行う。具体的には、オブジェクトの頂点に設定（付与）されるテクスチャ座標等を用いて記憶部２７０のテクスチャ記憶部からテクスチャ（色（ＲＧＢ）、α値などの表面プロパティ）を読み出し、２次元の画像であるテクスチャをオブジェクトにマッピングする。この場合に、ピクセルとテクセルとを対応づける処理や、テクセルの補間としてバイリニア補間などを行う。
【０１６３】
なお、本実施形態では、オブジェクトを描画する際に、所与のテクスチャをマッピングする処理を行うようにしてもよい。この場合には、マッピングされるテクスチャの色分布（テクセルパターン）を動的に変化させることができる。
【０１６４】
また、この場合において、色分布（ピクセルパターン）が異なるテクスチャを動的に生成してもよいし、複数の色分布が異なるテクスチャを予め用意しておき、使用するテクスチャを動的に切り替えるようにしてもよい。またオブジェクト単位でテクスチャの色分布を変化させてもよい。
【０１６５】
隠面消去処理では、描画ピクセルのＺ値（奥行き情報）が格納されるＺバッファ（奥行きバッファ）を用いたＺバッファ法（奥行き比較法、Ｚテスト）による隠面消去処理を行う。すなわち、オブジェクトのプリミティブに対応する描画ピクセルを描画する際に、Ｚバッファに格納されるＺ値を参照するとともに、当該参照されたＺバッファのＺ値と、プリミティブの描画ピクセルでのＺ値とを比較し、描画ピクセルでのＺ値が、仮想カメラから見て手前側となるＺ値（例えば小さなＺ値）である場合には、その描画ピクセルの描画処理を行うとともにＺバッファのＺ値を新たなＺ値に更新する。
【０１６６】
αブレンディング（α合成）では、描画部２２０は、α値（Ａ値）に基づく半透明合成処理（通常αブレンディング、加算αブレンディング又は減算αブレンディング等）を行う。なお、α値は、各ピクセル（テクセル、ドット）に関連づけて記憶できる情報であり、例えば色情報以外のプラスアルファの情報である。α値は、マスク情報、半透明度（透明度、不透明度と等価）、バンプ情報などとして使用できる。
【０１６７】
特に、本実施形態での描画部２２０は、接触検出領域に対応する表示領域に表示させる画像を生成してもよい。表示領域に表示させる画像とは、例えばオブジェクトを含む画像でもよい。
【０１６８】
音処理部２３０は、処理部２００で行われる種々の処理の結果に基づいて音処理を行い、ＢＧＭ、効果音、又は音声などのゲーム音を生成し、音出力部２９２に出力する。
【０１６９】
なお、本実施形態の端末装置２０は、１人のプレーヤがコンピュータと対戦するシングルプレーヤモード専用のシステムにしてもよいし、複数のプレーヤがプレーヤユニット群を構成し、又は、敵と味方に分かれて対戦するマルチプレーヤモードも備えるシステムにしてもよい。
【０１７０】
また、複数のプレーヤがプレーする場合に、これらの複数のプレーヤに提供するゲーム画像やゲーム音を、１つの端末装置２０を用いて生成してもよいし、ネットワーク（伝送ライン、通信回線）などで接続された複数の端末装置２０又はサーバ装置１０を用いて分散処理により生成してもよい。
【０１７１】
［４］本実施形態の手法
［４．１］概要
次に、図５及び図６を用いて本実施形態の手法の概要について説明する。なお、図５は、本実施形態におけるシミュレーションゲームのゲーム画像の一例を示す図であり、図６は、本実施形態の連動移動制御処理の概念を説明するための図である。
【０１７２】
本実施形態の端末装置２０は、複数のマスから構成されるフィールド（すなわち、マップ）を用いて複数のプレーヤユニットから構成されるプレーヤユニット群と複数の対戦ユニットから構成される対戦ユニット群とを対戦させるシミュレーションゲームを実行する構成を有している。
【０１７３】
そして、端末装置２０は、ゲームを開始させると、プレーヤユニット群の各プレーヤユニットを行動させるプレーヤユニット群のターンと敵ユニット群の各ユニットを行動させる敵ユニット群のターンとを１ターンとするターン制で対戦ゲームを進行させる構成を有している。
【０１７４】
すなわち、端末装置２０は、攻撃ターンなどの予めプレーヤユニット群及び敵ユニット群にそれぞれ付与された攻撃及び防御を含む対戦を行う際のターン毎に、マス上の移動と攻撃（攻撃されている側は防御）を実行する構成を有している。
【０１７５】
例えば、本実施形態の端末装置２０は、対戦ゲームを開始すると、プレーヤの操作又は自動演算に基づく演算結果に従って、図５に示すように、フィールド３００の所定のマス３０１に、プレーヤキャラクタ、敵キャラクタや移動体などの各ユニット群の各ユニットを配置及び移動させるとともに、当該配置したプレーヤユニット群の各プレーヤユニット（図５の例では、キャラクタＡ３１０、キャラクタＢ３２０、キャラクタＣ３３０、キャラクタＤ３４０）と、対戦ユニット群の対戦ユニット（図５の例では、キャラクタ４１０、キャラクタ４２０、キャラクタ４３０）と、をゲーム終了条件が成立するまで、プレーヤユニットのターン及び対戦ユニットのターンを繰り返して対戦ゲームを進行させる、構成を有している。
【０１７６】
本実施形態のシミュレーションゲームは、ターン毎に、プレーヤの操作に基づいて、フィールド上において操作対象プレーヤユニットを移動させつつ、当該移動に伴って他のプレーヤユニットを移動させ、可能な限り効率良く対戦ユニットに対する攻撃を行うことが可能な位置に、各プレーヤユニットを配置させるパズル的な要素を有する対戦ゲーム形式のシミュレーションゲームである。
【０１７７】
そして、本実施形態の端末装置２０は、プレーヤがシングルプレーを行う場合には、プレーヤの操作に基づいて、プレーヤユニット群の各プレーヤユニットの行動（移動制御及び攻撃制御）を決定する一方で、プレーヤユニット群と同様に、各対戦ユニットを移動させつつ、当該移動に伴って他の対戦ユニットを移動させ、可能な限り効率良くプレーヤユニットに対する攻撃を行うことが可能な位置に、各対戦ユニットを配置して攻撃するための行動（移動制御及び攻撃制御）を所定のアルゴリズム（すなわち、自動演算）に基づいて決定し、当該シミュレーションゲームを進行させる、構成を有している。
【０１７８】
なお、本実施形態のシミュレーションゲームでは、図５に示すように、正方形の複数の
マス３０１から構成されるスクエア型フィールド（マップ）３００を用いており、このマス３０１が各ユニットの行動単位となってゲームが進行するようになっている。ただし、スクエア型マップ以外に、例えば、正六角形の複数のマスから構成されるヘクス型マップや、自由な形状の複数のマスから構成されるプロヴァンス型マップを採用するようにしてもよい。
【０１７９】
また、各マスには、地形属性（例えば、図５に示すような平地５１０、草原５２０、森５３０、川５４０）が設定されており、この地形属性が各ユニットのユニット移動制御及び連動移動制御に影響を与えるようになっている。特に、各マスの地形属性情報は、ゲームデータ記憶部２７４にフィールド毎に記憶されている。
【０１８０】
さらに、「ゲーム終了条件」には、例えば、対戦ユニット群の各対戦ユニットを全滅させること、対戦ユニット群の特定のユニット（ボスキャラクタのユニット）を倒すこと、制限時間が経過することなどが含まれる。
【０１８１】
一方、端末装置２０は、このような対戦ゲームとして実行されるシミュレーションゲームにおいて、
（１）攻撃開始などの所定のイベントの開始タイミングから予め定められた時間内（すなわち、制限時間内、例えば、３０秒以内）、又は、予め定められた数のマス（すなわち、制限移動距離内、例えば、５マス）を移動するマス数の範囲内などのターンの期間内に、各プレーヤユニット又は各対戦ユニットを移動させて所望のマスに配置するユニット移動制御処理を実行し、
（２）配置された各プレーヤユニット及び各対戦ユニットのマスの位置と、各ユニットのキャラクタ特性及び属性及び各種のパラメータを含むユニット特性と、に基づいて、プレーヤユニット群と対戦ユニット群との攻撃制御処などプレーヤユニット群と対戦ユニット群との攻撃及び防御を含む対戦ゲームを自動的に演算する攻撃演算処理を実行し、
ゲームを進行させるようになっている。
【０１８２】
そして、端末装置２０は、
（Ａ）プレーヤの操作に基づいて各プレーヤユニットを所与のフィールド上の第１の位置から所望する第２の位置に配置する場合であって、第１の位置から第２の位置までの移動経路上のマスを示す経路対象マスに、他のプレーヤユニット又は対戦ユニットが存在する場合、及び、
（Ｂ）ゲームの自動演算結果に基づいて各対象ユニットを所与のフィールド上の第１の位置から所望する第２の位置に配置する場合であって、第１の位置から第２の位置までの移動経路上のマスを示す経路対象マスに、プレーヤユニット又は他の対戦ユニットが存在する場合、
には、該当するユニットを移動対象ユニットとして当該経路対象マスから他のマスに移動させる連動移動制御処理を実行するようになっている。
【０１８３】
例えば、端末装置２０は、図６に示すように、プレーヤの操作に基づいて各プレーヤユニットのキャラクタＡ３１０を所与のフィールド上の第１の位置３０２から第２の位置３０３に配置させた場合であって、第１の位置３０２から第２の位置３０３までの移動経路３０４上のマスを示す経路対象マス３０５に、他のプレーヤユニットであるキャラクタＣ３３０が存在する場合には、当該キャラクタ３３０を移動対象ユニットとして当該経路対象マス３０５から他のマス３０６に移動させる連動移動制御処理を実行するようになっている。
【０１８４】
このような構成を有することによって、本実施形態の端末装置２０は、複数のマスから構成されるフィールドを用いて、所定のターン毎に、プレーヤユニットと敵ユニットとの
対戦ゲームを実行するゲームにおいて、プレーヤユニットを移動させる経路上に、他のプレーヤユニット又は対戦ユニットが配置されている場合には、当該他のプレーヤユニット又は対戦ユニットを移動対象ユニットとして移動させることができるようになっている。
【０１８５】
そして、本実施形態の端末装置２０は、このようにマス上の配置が重要な対戦ゲームにおいて、プレーヤユニットの移動操作によって、プレーヤユニット群を構成する各プレーヤユニットを対戦ユニットとの対戦上において有利になるように、また、対戦ユニット群を構成する各対戦ユニットに対して対戦上において不利になるように移動させて対戦ゲームを進行させることができるようになっている。
【０１８６】
したがって、本実施形態の端末装置２０は、対戦ゲームを進行させる上で、プレーヤユニットに対するマス上を移動させるための戦略を重要視したゲームを提供することができるので、高度な戦略眼が必要となる新たな興趣性を有する魅力のある対戦ゲームを提供することができるようになっている。
【０１８７】
なお、本実施形態の端末装置２０は、戦闘ゲームやボードゲームなど敵とキャラクタ、カードやコマなどのユニット又はゲーム内の仮想通貨若しくはコイン、経験値、ヒットポイント、ライフエネルギー、攻撃パラメータや恋愛ゲームの感情パラメータなどのパラメータの争奪を行うゲームを、対戦ゲームとして実行してもよい。ただし、以下の説明においては、プレーヤユニット群と対戦ユニット群の対戦ゲームを用いて説明する。
【０１８８】
［４．２］ユニット及びユニット特性
次に、図７及び図８を用いて本実施形態におけるユニット及びユニット特性について説明する。なお、図７は、本実施形態のユニット特性に含まれるキャラクタ特性及び移動特性を説明するための図であり、図８は、本実施形態のユニット特性に含まれる攻撃特性を説明するための図である。 
【０１８９】
移動処理部２１４は、プレーヤユニット及び対戦ユニットを移動させるユニット移動制御処理を実行する際に、また、当該ユニット移動制御処理を実行している場合であって、移動対象ユニットの経路上に配置された当該移動態様ユニットとは異なる他のユニットを他のマスに移動させる連動移動制御処理を実行する際に、予め規定されたキャラクタ特性及び移動特性を用いる。
【０１９０】
また、ゲーム演算部２１５は、プレーヤユニット群と対戦ユニット群との対戦を行う攻撃制御処理を実行する場合に、予め規定されたキャラクタ特性及び攻撃特性を用いる。
【０１９１】
具体的には、本実施形態においては、キャラクタ特性としては、
（Ａ１）例えば、「火」や「水」又は「蠹」、「戦士」や「魔物」などのキャラクタの地形特性（各マスに設定された地形属性との相性を示すパラメータ）や種別などを規定する属性、
（Ａ２）キャラクタのランクを示すパラメータであるキャラクタレベル及びレベルアップに必要なパラメータを示す経験値
（Ａ３）プレーヤユニット又は対戦ユニットの生命力を示すヒットポイント、
（Ａ４）プレーヤユニット又は対戦ユニットを攻撃する際に、対峙した敵に与えるダメージの大きさに影響するパラメータであり、キャラクタレベルがアップすると値（パラメータ）が上昇する攻撃力、
（Ａ５）プレーヤユニット又は対戦ユニットから攻撃を受けた際に、受けたダメージの大きさに影響するパラメータであり、キャラクタレベルがアップすると値（パラメータ）が上昇する防御力、及び、
（Ａ６）攻撃時又は防御時などの戦闘時に優位に働く特殊能力（例えば魔力や運）又は武
器などのアイテム、
を用いる。
【０１９２】
例えば、図７（Ａ）には、属性「戦士」、キャラクタレベル「１」、経験値「５」、ヒットポイントが「１」、攻撃力「２」、防御力「１」、魔力「０」及び運「１」を示すキャラクタＡのキャラクタ特性が規定されていることが示されている。そして、図７（Ｂ）には、属性「獣」、キャラクタレベル「２」、経験値「７」ヒットポイントが「２」、攻撃力「１」、防御力「４」、魔力「４」及び運「１」を示すキャラクタＢのキャラクタ特性が規定されていることが示されている。
【０１９３】
また、移動特性としては、
（Ｂ１）フィールドの１マスを移動単位とした場合の１ターンで最大の移動可能なマスの数を示す移動力、
（Ｂ２）例えば、「地面」又は「浮遊」などフィールドを移動する際の移動方法を規定する移動タイプ、及び、
（Ｂ３）例えば、「右回り」、「左回り」や「制限無し」などの移動制御処理が実行されている際に、連動移動制御処理の対象となった場合の連動移動特性、
を用いる。
【０１９４】
例えば、図７（Ａ）には、移動力「３」、すなわち、１ターンで３マスまで移動可能なこと、移動タイプ「地面」及び連動移動特性「右回り」を示すキャラクタＡの移動特性が規定されていることが示されている。そして、図７（Ｂ）には、移動力「１」、移動タイプ「地面」及び連動移動特性「制限無し」を示すキャラクタＢの移動特性が規定されていることが示されている。
【０１９５】
なお、本実施形態においては、各ユニットの実際の移動力（最大の移動可能なマスの数）としては、キャラクタ特性の地形特性の値及び各マスに設定された地形属性情報の値を加算した値を用いる。
【０１９６】
さらに、攻撃特性には、
（１）打撃系、魔法系やコンボなどの攻撃の種別及び特別な攻撃の可否を示す攻撃種別、（２）攻撃威力のレベルを示す攻撃能力、
（３）フィールドの１マスを攻撃範囲の単位とした場合の攻撃可能なマスの範囲を示す攻撃範囲、
（４）ヒットポイントの高い敵のユニットに対する攻撃か、一番近い敵のユニットに対する攻撃か、又は、敵のボスに対する攻撃かの攻撃の対象を示す攻撃対象、及び、
（５）当該攻撃を発動する際の発動条件、
が含まれる。
【０１９７】
例えば、図８（Ａ）には、攻撃種別「打撃系」、攻撃力「１」、攻撃範囲「前方１マス」、攻撃対象「最も近い敵」及び発動条件「なし」を示すキャラクタＡにおける攻撃Ａの攻撃特性が規定されていることが示されている。そして、図８（Ｂ）には、攻撃種別「魔法系」、攻撃力「５」、攻撃範囲「前方２マス及び左右１マス」、攻撃対象「ヒットポイントが一番高い敵」及び発動条件「連動移動制御で３回移動」を示すキャラクタＡの攻撃Ｂの攻撃特性が規定されていることが示されている。
【０１９８】
なお、本実施形態においては、各ユニットの実際の攻撃能力としては、上記のように規定された攻撃能力に、キャラクタ特性の攻撃力の値を加算した値を用いる。
【０１９９】
一方、本実施形態のシミュレーションゲームにおいては、上記のような特性を有するユ
ニットが、プレーヤの操作によって、又は、コンピュータの演算に基づいて自動敵にデッキに設定されるとともに、プレーヤユニット群と対戦ユニット群とによってターン毎に移動及び攻撃が実行され、対戦ゲームが進行する。
【０２００】
なお、本実施形態においては、ゲームレベル毎やステージ毎など予め定められたターンの期間（例えば３０秒や上述のようなポイント制）によって移動を実行し、当該実行された移動に基づいて攻撃を実行するようになっているが、操作対象プレーヤユニットのユニット特性、又は、デッキに設定されプレーヤユニットの組み合わせ（すなわち、特定のユニット特性の数、種別又は組み合わせ）に応じてターンの期間（具体的には、移動制御処理が実行される期間や攻撃制御処理が実行される期間）が決定されてもよい。
【０２０１】
例えば、デッキに設定されプレーヤユニットの組み合わせによってターンの期間を決定する場合において、対戦ゲームが実行されるフィールドが「湖」の場合には、「水」属性を有するユニットの数によってターンの期間が長くしてもよいし、フィールドが「火山」の場合には、「火」属性を有するユニットの移動力（すなわち、最大移動可能なマスの数）の合計値が大きいほどターンの期間が長くなるようにしてもよい。
【０２０２】
また、本実施形態においては、フィールドの各マスに設定された地形属性情報に応じて各ユニットにおける移動制御及び攻撃制御が実行されるが、デッキに設定されたユニットの組み合わせに応じて地形属性を変化させてユニットにおける移動制御及び攻撃制御が実行されてもよい。
【０２０３】
例えば、フィールドが「湖」の場合には、「水」属性を有するユニットの数が一定数以上の場合には、各マスの水に関する地形属性に基づくマイナス面における移動制御又は攻撃制御への効果をキャンセルし、フィールドが「火山」の場合には、「火」属性を有するユニットの移動力（すなわち、最大移動可能なマスの数）の合計値が一定値以上の場合に、各マスの火に関する地形属性に基づくマイナス面における移動制御又は攻撃制御への効果をキャンセルしてもよい。
【０２０４】
［４．３］ユニット移動制御処理
次に、本実施形態のプレーヤユニット及び対戦ユニットにおけるユニット移動制御処理について説明する。
【０２０５】
移動処理部２１４は、ターン毎に、操作検出処理部２１１によって検出されたそれぞれのプレーヤユニットに対するプレーヤの操作に基づいて、各プレーヤユニットを、当該各プレーヤユニットの移動特性に応じて規定されたフィールド上の移動可能範囲内で移動させる。
【０２０６】
（基本的なプレーヤユニットの移動）
移動処理部２１４は、例えば、現在配置されているマスの位置（以下、「現配置」ともいう。）やプレーヤによって指示された指示位置（スライド操作入力の開始位置）など、所与のフィールド上の第１の位置から、スライド操作入力に従って特定される移動経路となる各マスに沿って移動させつつ、所望する第２の位置としてのプレーヤによって指示されたマスの位置（スライド操作入力の終了位置）に移動する移動制御処理を実行する。
【０２０７】
具体的には、移動処理部２１４は、操作検出処理部２１１によって所定のプレーヤユニットへのタッチ操作入力が検出されると、当該検出されたプレーヤユニットを操作対象プレーヤユニットに選択する。
【０２０８】
この状態において、移動処理部２１４は、操作検出処理部２１１によって操作対象プレ
ーヤユニットが選択された際のタッチ操作入力のタッチ状態を維持しつつ、タッチパネル１２上のスライド操作入力を検出すると、当該操作対象プレーヤユニットをドラッグしながら当該スライド操作入力に従って移動させる。
【０２０９】
そして、移動処理部２１４は、このようなスライド操作入力中に、タッチパネル１２上におけるスライド操作入力が終了して無接触状態となった場合（タッチ操作入力を解除した場合）には、当該無接触状態となったタッチパネル１２上の位置を移動終了位置として認識し、タッチ操作入力及びスライド操作入力に基づくプレーヤユニットの移動制御を完了させる。
【０２１０】
このとき、移動処理部２１４は、表示制御部２１２と連動し、移動制御が完了したプレーヤユニットについては、未だ移動が完了していない他のプレーヤユニットと識別するための表示を実行させる。
【０２１１】
なお、移動処理部２１４は、このようなスライド操作入力中に、制限時間を経過した場合には、当該制限時間を経過したときのタッチパネル１２上の位置を移動終了位置として認識し、タッチ操作入力及びスライド操作入力に基づくプレーヤユニットの移動制御を完了させてもよい。
【０２１２】
また、移動処理部２１４は、このようなスライド操作入力中に、制限移動距離に達した場合には、当該制限移動距離を達したときのタッチパネル１２上の位置を移動終了位置として認識し、タッチ操作入力及びスライド操作入力に基づくプレーヤユニットの移動制御を完了させてもよい。
【０２１３】
さらに、上記の制限時間及び制限移動距離は、例えば、所定のアイテム保有、当該アイテムに基づく利用、当該アイテムを利用した行動、プレーヤのゲームレベルのアップ及び、ヒットポイントや経験値等のゲームに関するパラメータが変更することによって、制限時間の延長又は制限移動距離の拡大が実行される。
【０２１４】
上記に加えて、プレーヤユニットの移動制御としては、必ずしもタッチパネル１２上での操作である必要はなく、表示部２９０に表示されたカーソルなどの指示マーカを十字キーなどの操作部材で指定し、かつ、当該操作指定に基づいて、上述のようなプレーヤユニットの移動制御を実行すればよい。
【０２１５】
例えば、上述の図６に示すように、移動対象となるプレーヤユニットの現配置のマス３０２から矢印に沿って所望する第２の位置３０３までスライド操作入力が実行されると、移動処理部２１４は、当該矢印に沿って形成される移動経路３０４に従って対象プレーヤユニット（キャラクタＡ３０２）を移動させ、第２の位置３０３に配置する移動制御処理を実行する。
【０２１６】
なお、本実施形態においては、１回のターンにおいて各ユニットの移動を少なくとも１回ずつ実行可能に設定してもよいし、移動を実行するために必要なポイントをターン毎に設定するとともに、１回のターンにおいて各プレーヤユニットが使用できるポイントを設定し、各プレーヤユニットが使用できるポイントの範囲内で各プレーヤユニットにおける１回以上の移動を実行可能に設定してもよい。
【０２１７】
また、必ずしもプレーヤユニット群の全てのプレーヤユニットを移動させる必要はなく、特定のプレーヤユニットの移動をパスしてもよい。
【０２１８】
さらに、移動処理部２１４は、ターンの期間中においては、スライド操作入力の終了位
置に操作対象プレーヤユニットを配置した後であっても、再度スライド操作入力を実行すれば、当該操作対象プレーヤユニットの移動を制御することが可能であるが、ターンの期間終了後においては、その時点の位置に固定し、当該固定した位置によって連動移動制御の対象として再度移動させるか、又は、当該位置を攻撃制御処理の開始位置に設定する。
【０２１９】
（移動特性に基づく移動）
移動処理部２１４は、対戦ユニット群のターンにおいては、ゲーム演算部２１５によって演算された演算結果に基づいて、所定のターンの期間内に、各対戦ユニットの移動特性に応じて規定されたフィールド上の移動可能範囲内で移動させる移動制御処理を実行する。
【０２２０】
特に、移動処理部２１４は、ゲーム演算部２１５から、各対戦ユニットにおける所与のフィールド上の第１の位置、第２の位置及び移動経路の各情報を取得し、当該取得した各情報に従って各対戦ユニットの移動を制御する。
【０２２１】
なお、本実施形態においては、プレーヤユニットと同様に、１回のターンにおいて各ユニットの移動を少なくとも１回ずつ実行可能に設定してもよいし、移動を実行するために必要なポイントをターン毎に設定するとともに、１回のターンにおいて各プレーヤユニットが使用できるポイントを設定し、各対戦ユニットが使用できるポイントの範囲内で各対戦ユニットを実行可能に設定してもよい。
【０２２２】
また、プレーヤユニットと同様に、必ずしも対戦ユニット群の全ての対戦ユニットを移動させる必要はなく、特定の対戦ユニットの移動をパスしてもよい。
【０２２３】
［４．４］連動移動制御処理
次に、図９〜図１４を用いて本実施形態のプレーヤユニット及び対戦ユニットにおける連動移動制御処理について説明する。なお、図９〜図１４は、本実施形態のプレーヤユニットにおける連動移動制御処理を説明するための図である。
【０２２４】
（連動移動制御処理（プレーヤユニット）の基本原理）
移動処理部２１４は、各プレーヤユニットにおけるユニット移動制御処理中において、移動中のプレーヤユニット（すなわち、操作対象プレーヤユニット）が所与のフィールド上の第１の位置（すなわち、移動開始位置）から所望する第２の位置（移動終了位置）までの移動経路上のマスを示す経路対象マスに、他のプレーヤユニット又は対戦ユニットが存在する場合には、他のプレーヤユニット又は対戦ユニットを移動対象ユニットとして当該経路対象マスから他のマスに移動させる連動移動制御処理を実行する。
【０２２５】
特に、移動処理部２１４は、操作対象プレーヤユニットが他のプレーヤユニット又は対戦ユニットが存在する経路対象マスの位置を通過するタイミング（以下、「通過タイミング」という。）に、又は、操作対象プレーヤユニットが第２の位置への移動後など当該通過タイミングに関連するタイミングに、移動対象ユニットを当該経路対象マスから他のマスに移動させる。
【０２２６】
具体的には、移動処理部２１４は、経路対象マスに存在する移動対象ユニットを、通過タイミングの直前に存在したマスや移動開始時に存在していたマスなどの操作対象プレーヤユニットが存在していたマスに移動させ（すなわち、操作対象プレーヤユニットと移動対象ユニットとのマスの位置を入れ替え）、又は、経路対象マスに存在する移動対象ユニットを、経路対象マスに接して隣接しているマスに移動させる（すなわち、移動対象ユニットを経路対象マスからそれに隣接しているマスに押し出す）。
【０２２７】
例えば、上述の図６に示すように、操作対象プレーヤユニット３１０を移動開始位置３０２から移動終了位置３０３にスライド操作入力（移動経路）に沿って移動させる場合であって、経路対象マス３０５に他のプレーヤユニット３３０が存在する場合を想定する。
【０２２８】
この場合において、移動処理部２１４は、操作対象プレーヤユニット３１０がマス３０６から経路対象マス３０５に移動する際（すなわち、通過タイミング）に、図９（Ａ）及び（Ｂ）に示すように、当該他のプレーヤユニット３３０を移動対象ユニットとして特定し、かつ、操作対象プレーヤユニット３１０の通過タイミングの直前に存在したマス３０６に移動対象ユニット３３０を移動させる。
【０２２９】
すなわち、この場合には、移動処理部２１４は、通過タイミングに操作対象プレーヤユニット３１０の位置と移動対象ユニット３３０の位置（マス）とを入れ替える制御を行う。
【０２３０】
また、例えば、上述と同様に、移動開始位置３０２から移動終了位置３０３にスライド操作入力（移動経路）３０４に沿って移動させる場合であって、経路対象マス３０５に他のプレーヤユニット３３０が存在する場合を想定する。
【０２３１】
この場合において、移動処理部２１４は、操作対象プレーヤユニット３１０がマス３０６から経路対象マス３０５に移動する際（すなわち、通過タイミング）に、図１０（Ａ）及び（Ｂ）に示すように、当該他のプレーヤユニット３３０を移動対象ユニットとして特定し、かつ、操作対象プレーヤユニット３１０の移動開始位置３０２のマスに移動対象ユニット３３０を移動させてもよい。
【０２３２】
すなわち、移動処理部２１４は、通過タイミングより過去のタイミングに存在していた操作対象プレーヤユニットの位置として、操作対象プレーヤユニット３１０の移動開始位置３０２に、移動対象ユニットの位置を変更させることも可能である。
【０２３３】
（キャラクタ特性等に基づくユニット連動移動制御処理（プレーヤユニット））
移動処理部２１４は、経路対象マスに存在する移動対象ユニットの移動特性に含まれる連動移動特性、キャラクタ特性に含まれる地形特性、及び、当該経路対象マス又は当該経路対象マスに接して隣接するマス（以下、「経路対象隣接マス」という。）の地形属性情報の少なくともいずれか一方に基づいて、移動対象ユニットに対する移動態様を決定し、移動対象ユニットを当該経路対象マスから他のマスに移動させてもよい。
【０２３４】
例えば、移動処理部２１４は、連動移動特性として、移動対象ユニット３３０が「左回り」の特性を有している場合には、図１１（Ａ）に示すように、左回りで当該移動対象ユニット３３０のマスの位置を経路対象マス３０５から移動先のマス３０６に移動させる。
【０２３５】
そして、移動対象ユニット３３０が「右回り」の特性を有している場合には、図１１（Ｂ）に示すように、移動態様として左回りを決定し、当該右回りで当該移動対象ユニット３３０のマスの位置を経路対象マス３０５から移動先のマス３０６に移動させる。
【０２３６】
なお、図１１は、通過タイミングに操作対象プレーヤユニット（図示しない）のマス３０６の位置と移動対象ユニット３３０のマス（経路対象マス）３０５の位置とを入れ替える場合の例である。
【０２３７】
また、例えば、移動処理部２１４は、経路対象マスの左側に地形属性として風が流れている場合（右側には風が流れていない）であって、地形特性として、移動対象ユニット３３０が「風」の属性を有している場合には、移動態様として風が流れている側から移動す
ることを決定し、図１２（Ａ）に示すように、操作対象プレーヤユニット（図示しない）の通過タイミングの直前に存在したマス３０６に移動対象ユニット３３０を左回りで移動させる。
【０２３８】
その一方、フィールドが経路対象マスの前方に山がありその前方に向かって高くなっている斜面の場合であって、地形特性として、移動対象ユニット３３０が「水」の属性を有している場合には、斜面に沿って大きく移動してしまうこととなり、移動態様として傾斜の低い方から移動することを決定し、図１２（Ｂ）に示すように、標高が最低となる谷を構成するマス３０８まで移動させる。
【０２３９】
なお、図１２（Ｂ）の移動対象ユニットの移動方向は「左回り」であるが、当該移動方向は、「右回り」であってもよい。また、図１２（Ｂ）であっては、標高が最低となる谷を構成するマス３０８が移動経路３０４ａ上であっても、移動経路３０４ｂ上に当該マス３０８が上にでない場合であっても当該マス３０８まで移動させるよことも可能である。
【０２４０】
また、図１２は、通過タイミングに移動対象ユニット３３０のマス（経路対象マス）３０５の位置を変更する場合の例である。
【０２４１】
さらに、例えば、移動処理部２１４は、図１３（Ａ）に示すように、地形属性情報として、経路対象マスの右側の経路対象隣接マスが木５３１などの移動を妨害する地域属性を有している場合には、移動態様として左回りを決定し、図１３（Ｂ）に示すように、当該左回りで当該移動対象ユニット３３０のマスの位置を移動させる。
【０２４２】
なお、図１３は、図１１及び図１２と同様に、通過タイミングに操作対象プレーヤユニット（図示しない）のマス３０６の位置と移動対象ユニット３３０のマス（経路対象マス）３０５の位置とを入れ替える場合の例である。
【０２４３】
また、本実施形態においては、連動移動特性、地形特性、及び、地形属性情報の複合的な組み合わせによって移動対象ユニットを当該経路対象マスから他のマスに移動させてもよい。
【０２４４】
例えば、本実施形態においては、経路対象マスの地形属性が「水」であり、地形特性として、移動対象ユニット３３０が「水」の属性を有している場合には、移動処理部２１４は、長距離の移動が可能となるとして、移動態様として長距離移動の実行を決定し、当該移動対象ユニットＵ２を一番長距離となる操作対象プレーヤユニット３１０の移動開始位置３０２のマスに移動対象ユニット３３０を移動させてもよい。
【０２４５】
さらに、本実施形態においては、経路対象マス事態が「橋」や「山道」などの移動経路に対して左右又はいずれか一方に移動不能な拘束要因を有することによってユニットの移動の可否を定める地域特性を有していてもよい。
【０２４６】
（その他の連動移動制御処理（プレーヤユニット））
本実施形態においては、操作対象プレーヤユニット及び移動対象ユニットの他に、これらのユニットに近接するプレーヤユニットのキャラクタ特性などによって移動対象ユニットの移動態様を決定してもよい。
【０２４７】
具体的に、移動処理部２１４は、近接するプレーヤユニットと移動対象ユニットとが連携攻撃可能な場合には、移動対象ユニットを連携攻撃が発動可能な経路対象マスなどの特定のマスに移動させてもよい。
【０２４８】
例えば、操作対象プレーヤユニット（キャラクタＡ）３１０の左側のマスに移動対象ユニット（キャラクタＣ）３３０が配置される場合に、操作対象プレーヤユニット（キャラクタＡ）３１０と移動対象ユニット（キャラクタＣ）３３０との連携攻撃が発動する場合において、図１４（Ａ）に示すように、移動対象ユニット（キャラクタＣ）３３０が操作対象プレーヤユニット（キャラクタＡ）３１０の移動経路３０４上に存在する場合を想定する。
【０２４９】
この場合には、移動処理部２１４は、図１４（Ｂ）に示すように、移動対象ユニット（キャラクタＣ）３３０を移動終了位置３０３の左側に接するマス（特定のマス）３０９に移動させてもよい。
【０２５０】
また、本実施形態においては、地形属性又は地域属性によって移動対象ユニットの移動を中止させてもよい。例えば、地形属性情報として、上述の図１３（Ａ）に示すように、経路対象マス３０５の右側の経路対象隣接マスが木５３１などの移動を妨害する地域属性を有している場合であって、移動対象ユニット３３０が「右回り」の特性を有している場合には、移動対象ユニットは右回りによる移動ができないことから、移動処理部２１４は、当該移動対象ユニット３３０の移動を中止して当該移動対象ユニット３３０のマスの位置を維持する（すなわち、マス３０５に留まる）。
【０２５１】
なお、本実施形態においては、対戦ユニットを連動移動制御処理の非対象として取り扱ってもよい。すなわち、移動処理部２１４は、シミュレーションゲームにおける戦略を簡素化するためなど、プレーヤユニットのユニット移動制御処理中に、経路対象マスに対戦ユニットが存在したとしても、当該対戦ユニットを他のマスに移動させる処理を非実行にする。
【０２５２】
（対戦ユニットにおける連動移動制御処理）
本実施形態の移動処理部２１４は、対戦ユニットにおける連動移動制御処理については、プレーヤユニットにおける連動移動制御処理と同様に、各対戦ユニットにおけるユニット移動制御処理中において、移動中の対戦ユニットが所与のフィールド上の第１の位置から第２の位置までの移動経路上の経路対象マスに、プレーヤユニット又は他の対戦ユニットが存在する場合には、プレーヤユニット又は他の対戦ユニットを移動対象ユニットとして当該経路対象マスから他のマスに移動させる連動移動制御処理を実行する。
【０２５３】
また、移動処理部２１４は、対戦ユニットにおける連動移動制御処理については、プレーヤユニットにおける連動移動制御処理と同様に、キャラクタ特性等に基づいて、又は、対戦ユニットに近接する他の対戦ユニットのキャラクタ特性などに基づいて、移動対象ユニットの移動態様を決定してもよい。
【０２５４】
なお、本実施形態においては、プレーヤユニットの連動移動制御処理と同様に、プレーヤユニットを連動移動制御処理の非対象としてもよい。すなわち、移動処理部２１４は、シミュレーションゲームにおける戦略を簡素化するためなど、対戦ユニットのユニット移動制御処理中に、経路対象マスにプレーヤユニットが存在したとしても、当該プレーヤユニットを他のマスに移動させる処理を非実行にする。
【０２５５】
［４．５］ユニット移動制御処理及び連動移動制御処理に基づく効果
次に、本実施形態のユニット移動制御処理及び連動移動制御処理に基づく効果について説明する。
【０２５６】
移動処理部２１４は、移動対象ユニットのユニット移動制御処理によって、他のプレーヤユニット又は対戦ユニットに対して連動移動制御を発動させた場合には、操作対象プレ
ーヤユニット、移動対象ユニット又はその双方に、攻撃制御処理を実行する際に用いる所与の効果を付与する。
【０２５７】
具体的には、移動処理部２１４は、連動移動制御を実行する毎に、攻撃制御処理によって攻撃を行うプレーヤユニットが有するパラメータのアップ、当該プレーヤユニットが有する特定の能力（特殊攻撃）の発動やアイテム（特殊武器）の使用、攻撃制御処理時に用いられる各種のゲージのアップ、及び、他のプレーヤユニットと攻撃を行うコンボ攻撃のユニットとしての選出が含まれる。
【０２５８】
具体的には、移動処理部２１４は、連動移動制御が実行される毎に、操作対象プレーヤユニットであるプレーヤユニット、移動対象ユニットであるプレーヤユニット若しくはその双方のプレーヤユニットが有する攻撃力やヒットポイントなどのパラメータのアップ、又は、当該パラメータのゲージアップを行う。
【０２５９】
特に、移動処理部２１４は、パラメータのアップとしては、パラメータの値で規定されている場合には、現時点で規定されているパラメータの最大値（すなわち、上限値）のアップ又はレベルで規定されている場合には、レベルのアップを行う。
【０２６０】
また、移動処理部２１４は、パラメータのゲージアップとしては、現時点で規定されているパラメータの最大値の範囲を超えない範囲でのパラ−メタのアップ、すなわち、対戦ゲーム中に減少したパラメータの回復を行う。
【０２６１】
一方、移動処理部２１４は、いままでの全てのターン、現在実施しているターン（以下、「現ターン」という。）、及び、予め定められた所定数のターンにおいて、連動移動制御を発動した回数又は連動移動制御によって移動された回数（以下、「移動回数」という。）を計数し、当該計数した移動回数に応じて、操作対象プレーヤユニットであるプレーヤユニット、移動対象ユニットであるプレーヤユニット又はその双方のプレーヤユニットの特定の攻撃の発動、又は、他のプレーヤユニットと連携して攻撃を行うコンボ攻撃の発動を決定する。
【０２６２】
例えば、移動処理部２１４は、現ターン中において、プレーヤユニット群の各プレーヤユニットにおけるユニット移動制御処理によって実行される連動移動制御に基づく移動を計数し、当該計数した移動回数が所定回数以上になった移動対象ユニットについては、攻撃制御処理時にプレーヤユニットの特定の攻撃の発動するためのフラグ、又は、他のプレーヤユニットと連携して攻撃を行うコンボ攻撃の発動するためのフラグを設定する。
【０２６３】
なお、ゲーム演算部２１５は、例えば、コンボ攻撃を発動する場合には、連動移動制御を発動した操作対象プレーヤユニット毎に上記の移動回数をカウントし、一番回数の多い操作対象プレーヤユニットとのコンボ攻撃を発動してもよいし、予め設定されたプレーヤユニット、又は、コンボ攻撃を行うフラグを有するプレーヤユニットに一番近接する他のプレーヤユニットとコンボ攻撃を発動してもよい。
【０２６４】
［４．６］ユニット移動制御処理及び連動移動制御処理に基づく表示制御
移動処理部２１４は、表示制御部２１２と連動し、操作対象プレーヤユニットや移動した対戦ユニット、又は、移動対象ユニットがマスを移動した場合であって、移動したユニットにおける攻撃対象となる攻撃対象ユニットが存在することになった場合に、又は、当該攻撃対象ユニットが変更された場合に、タッチパネル１２上に表示させる。
【０２６５】
［４．７］攻撃制御処理
次に、本実施形態のプレーヤユニット群及び対戦ユニット群における攻撃制御処理につ
いて説明する。
【０２６６】
ゲーム演算部２１５は、ユニット移動制御処理及び連動移動制御処理を含む移動制御処理によって配置された各プレーヤユニット及び各対戦ユニットの位置と、当該移動制御処理によって設定されたフラグ情報に基づいて、該当するプレーヤユニット及び対戦ユニットに所与の効果を付与しつつ、各プレーヤユニットが対戦ユニットに攻撃する攻撃処理、及び、各対戦ユニットがプレーヤユニットに攻撃する攻撃制御処理を実行する。
【０２６７】
具体的には、ゲーム演算部２１５は、各プレーヤユニットが対戦ユニットを攻撃する場合には、各プレーヤユニットが存在するマスの位置、そのフラグ情報（特殊能力やコンボ攻撃の発動の有無）、そのキャラクタ特性及び攻撃特性と、攻撃範囲に存在する対戦ユニットのキャラクタ特性と、マスやフィールドに設定された地形属性情報と、に基づいて、攻撃制御処理のための自動演算を実行する。
【０２６８】
特に、ゲーム演算部２１５は、キャラクタ特性に含まれる地形特性と、各マスに規定されている地形属性情報に基づいて、各ユニットにおける攻撃力における補正値を算出しつつ、当該算出した補正値に基づいて、攻撃制御処理のための自動演算を実行する。
【０２６９】
また、ゲーム演算部２１５は、対戦ユニットまでの距離、予め定められたルール又はデッキの設定に基づいて、各プレーヤユニットから対戦ユニットへの攻撃制御処理のための自動演算を実行する。
【０２７０】
一方、ゲーム演算部２１５は、各対戦ユニットがプレーヤユニットを攻撃する場合には、各対戦ユニットが存在するマスの位置、フラグ情報（特殊能力やコンボ攻撃の発動の有無）、キャラクタ特性及び攻撃特性と、攻撃範囲に存在するプレーヤユニットのキャラクタ特性と、マスやフィールドに設定された地形属性情報と、に基づいて、攻撃制御処理のための自動演算を実行する。
【０２７１】
そして、ゲーム演算部２１５は、表示制御部２１２に自動演算結果に基づいてターンにおけるゲーム結果を表示するための表示データを生成させる。
【０２７２】
［５］本実施形態における動作
次に、図１５及び図１６を用いて本実施形態の端末装置２０によって実行されるプレーヤユニット群における移動制御処理及び攻撃制御処理の動作について説明する。なお、図１５は、本実施形態の端末装置２０によって実行されるプレーヤユニット群における移動制御処理及び攻撃制御処理の動作を示すフローチャートであり、図１６は、本実施形態の端末装置２０によって実行される対戦ユニット群における移動制御処理及び攻撃制御処理の動作を示すフローチャートである。
【０２７３】
本動作は、原則的には端末装置２０において実行される処理である。ただし、一部の処理においては、サーバ装置１０と連動することによって実行されることも可能となっている。
【０２７４】
また、本動作においては、予めプレーヤによって又はコンピュータによってプレーヤユニット群又は対戦ユニット群におけるデッキが設定されているものと、プレーヤユニット群の移動及び攻撃を先行とする。
【０２７５】
さらに、本動作においては、全てのプレーヤユニット及び対戦ユニットを操作対象とし、プレーヤユニット毎及び対戦ユニット毎に移動制御処理を実行するものとする。ただし、ターンの期間をプレーヤユニット群毎に設定し、当該ターン期間内であれば、各プレー
ヤユニットを１回ずつ移動させる必要がなく、移動させないプレーヤユニットがあってもよいし、複数回移動させるプレーヤユニットがあってもよい。
【０２７６】
（プレーヤユニットにおける移動制御処理）
まず、移動処理部２１４は、プレーヤユニット群のターンの開始を検出すると（ステップＳ１０１）、プレーヤの操作に基づいて又は予め定められた順番に従って操作対象プレーヤユニットを特定する（ステップＳ１０２）。
【０２７７】
次いで、移動処理部２１４は、操作検出処理部２１１による操作対象プレーヤユニットに対するスライド操作入力などによって、当該操作対象プレーヤユニットにおける第１の位置（移動開始位置）、第２の位置（移動終了位置）及び移動経路を検出する（ステップＳ１０３）。
【０２７８】
次いで、移動処理部２１４は、検出した第１の位置、第２の位置及び移動経路に従って第１の位置から第２の位置に、かつ、マス毎に、特定した操作対象プレーヤユニットを移動させるユニット移動制御処理を開始する（ステップＳ１０４）。例えば、移動処理部２１４は、特定された操作対象プレーヤユニットを強調表示にし、又は、移動経路を表示するなど所定の処理を実行する。
【０２７９】
次いで、移動処理部２１４は、第１の位置又は前回の位置から経路対象マスを１つ進め（ステップＳ１０５）、経路対象マスに他のユニット（他のプレーヤユニット又は対戦ユニット）が存在しているか否かを判定する（ステップＳ１０６）。
【０２８０】
このとき、移動処理部２１４は、経路対象マスに他のユニットが存在していないと判定した場合には、移動終了マスか否かを判定し（ステップＳ１１０）、当該移動終了マスでないと判定した場合には、ステップＳ１０５の処理に戻り、当該移動終了マスと判定した場合には、本動作を終了させる。
【０２８１】
一方、移動処理部２１４は、経路対象マスに他のユニットが存在していると判定した場合には、当該他のユニットに基づく上述のような連動移動制御処理を実行し（ステップＳ１０７）ステップＳ１１０の処理に移行する。
【０２８２】
次いで、移動処理部２１４は、操作対象プレーヤユニットとして未だ移動制御処理を実行していないプレーヤユニットがあるか否かを判定し（ステップＳ１１１）、当該未だ移動制御処理を実行していないプレーヤユニットがある場合には、ステップＳ１０２の処理に移行する。
【０２８３】
他方、ゲーム演算部２１５は、未だ移動制御処理を実行していないプレーヤユニットがないと判定した場合（すなわち、全てのプレーヤユニットに対して移動制御処理を実行したと判定した場合）には、各プレーヤユニットの第２の位置と、当該プレーヤユニットのキャラクタ特性及び攻撃特性と、他のユニットの配置及びキャラクタ特性と、に基づいて、プレーヤユニット群を構成する各プレーヤユニットに対する攻撃制御処理を実行する（ステップＳ１１２）。
【０２８４】
次いで、ゲーム演算部２１５は、対戦ユニットが全滅したか否かを判定し（ステップＳ１１３）、対戦ユニットが全滅したと判定した場合には、ゲーム終了処理を実行して（ステップＳ１１４）本動作を終了させる。
【０２８５】
また、ゲーム演算部２１５は、対戦ユニットが全滅していないと判定した場合には、対戦ユニットにおけるステップＳ２０１の移動制御処理を開始させて（ステップＳ１１５）
、本動作を終了させる。
【０２８６】
（対戦ユニットにおける移動制御処理）
まず、移動処理部２１４は、対戦ユニット群のターンの開始を検出すると（ステップＳ２０１）、ゲーム演算部２１５において自動演算によって算出された対象ユニット又は予め定められた順番に従って対象ユニットを特定する（ステップＳ２０２）。
【０２８７】
なお、ゲーム演算部２１５は、ステップＳ２０１においては、移動処理部２１４によって対戦ユニット群のターンの開始が検出されると、配置演算処理によって各対象ユニットにおける第１の位置（移動開始位置）に基づく第２の位置（移動終了位置）及び移動経路を算出する。
【０２８８】
次いで、移動処理部２１４は、ゲーム演算部２１５において自動演算された演算結果に基づいて、特定した対戦ユニットにおける第１の位置（移動開始位置）に基づく、第２の位置（移動終了位置）及び移動経路を決定する（ステップＳ２０３）。
【０２８９】
次いで、移動処理部２１４は、検出した第１の位置、第２の位置及び移動経路に従って第１の位置から第２の位置に、かつ、マス毎に、特定した対戦ユニットを移動させるユニット移動制御処理を開始する（ステップＳ２０４）。例えば、移動処理部２１４は、特定された操作対象プレーヤユニットを強調表示にし、又は、移動経路を表示するなど所定の処理を実行する。
【０２９０】
次いで、移動処理部２１４は、第１の位置又は前回の位置から経路対象マスを１つ進め（ステップＳ２０５）、経路対象マスに他のユニット（プレーヤユニット又は他の対戦ユニット）が存在しているか否かを判定する（ステップＳ２０６）。
【０２９１】
このとき、移動処理部２１４は、経路対象マスに他のユニットが存在していないと判定した場合には、移動終了マスか否かを判定し（ステップＳ２１０）、当該移動終了マスでないと判定した場合には、ステップＳ２０５の処理に戻り、当該移動終了マスと判定した場合には、本動作を終了させる。
【０２９２】
一方、移動処理部２１４は、経路対象マスに他のユニットが存在していると判定した場合には、当該他のユニットに基づく上述のような連動移動制御処理を実行し（ステップＳ２０７）ステップＳ２１０の処理に移行する。
【０２９３】
次いで、移動処理部２１４は、未だ移動制御処理を実行していない対戦ユニットがあるか否かを判定し（ステップＳ２１１）、当該未だ移動制御処理を実行していない対戦がある場合には、ステップＳ２０２の処理に移行する。
【０２９４】
他方、ゲーム演算部２１５は、未だ移動制御処理を実行していない対戦ユニットがないと判定した場合（すなわち、全ての対戦ユニットに対して移動制御処理を実行したと判定した場合）には、各対戦ユニットの第２の位置と、当該対戦ユニットのキャラクタ特性及び攻撃特性と、他のユニットの配置及びキャラクタ特性と、に基づいて、対戦ユニット群を構成する各対戦ユニットに対する攻撃制御処理を実行する（ステップＳ２１２）。
【０２９５】
次いで、ゲーム演算部２１５は、プレーヤユニットが全滅したか否かを判定し（ステップＳ２１３）、プレーヤユニットが全滅したと判定した場合には、ゲーム終了処理を実行して（ステップＳ２１４）本動作を終了させる。
【０２９６】
また、ゲーム演算部２１５は、プレーヤユニットが全滅していないと判定した場合には
、プレーヤユニットにおけるステップＳ１０１の移動制御処理を開始させて（ステップＳ２１５）、本動作を終了させる。
【０２９７】
［６］その他
本発明は、上記実施形態で説明したものに限らず、種々の変形実施が可能である。例えば、明細書又は図面中の記載において広義や同義な用語として引用された用語は、明細書又は図面中の他の記載においても広義や同義な用語に置き換えることができる。
本実施形態では、ＲＰＧのゲームの操作入力として説明しているが、対戦型ゲーム又はシミュレーションゲームなどの他のゲームにおいても用いることがきる。
【０２９８】
また、本実施形態は、一のサーバ装置１０によって各ゲームを端末装置２０に提供してもよいし、複数のサーバ装置１０を連動させてサーバシステムを構築し、各ゲームを端末装置２０に提供してもよい。
【０２９９】
また、本実施形態においては、サーバ装置１０によって提供されたゲームを端末装置２０によって実行されているが、操作検出処理部２１１を除き、上記の端末装置２０の処理部２００の各機能及びゲームプログラムの実行をサーバ装置１０で実行し、当該端末装置２０は、操作入力とストリーミングによる画像表示を実行することによって、上記のゲームを実現してもよい。
【０３００】
また、本実施形態においては、ゲーム装置に本発明の端末装置を適用しているが、ゲーム装置に限らず、スマートフォン、タブレット型情報端末装置、パーソナルコンピュータ，モニター又はテレビなどのタッチパネルを用いて操作入力を実行可能な端末装置であれば、本発明の端末装置を提供することができる。
【０３０１】
また、本実施形態においては、タッチパネルに代えて、十字キーを備えたゲームコントローラ、トラックボールを備えたキーボード、又は、ジョイスティックなどの方向操作を行う事が可能な操作手段を用いることによって実現することができる。
【０３０２】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【０３０３】
上記のように、本発明の実施形態について詳細に説明したが、本発明の新規事項及び効果から実体的に逸脱しない多くの変形が可能であることは当業者には容易に理解できるであろう。したがって、このような変形例はすべて本発明の範囲に含まれるものとする。
【符号の説明】
【０３０４】
１０  …  サーバ装置
２０  …  端末装置
２００  …  処理部
１０１  …  通信制御部
１０２  …  Ｗｅｂ処理部
１０３  …  ゲーム演算実行部
１０４  …  ゲーム管理部
１２０  …  入力部
１３０  …  表示部
１４０  …  記憶部
１４２  …  主記憶部
１４４  …  ゲーム情報
１４６  …  ユーザ情報 
１８０  …  情報記憶媒体
１９６  …  通信部
２００  …  処理部
２１０  …  オブジェクト空間設定部
２１１  …  操作検出処理部
２１２  …  表示制御部
２１４  …  移動処理部
２１５  …  ゲーム演算部
２１６  …  仮想カメラ制御部
２１７  …  ゲーム管理部
２２０  …  描画部
２３０  …  音処理部
２７０  …  記憶部
２７１  …  主記憶部
２７２  …  画像バッファ
２７３  …  ゲームデータ記憶部
２７４  …  ユーザ情報
２６０  …  入力部
２６２  …  検出部
２８０  …  情報記憶媒体
２９０  …  表示部
２９１  …  音出力部
【図１】
2017055999.tif 000003
【図２】
2017055999.tif 000004
【図３】
2017055999.tif 000005
【図４】
2017055999.tif 000006
【図５】
2017055999.tif 000007
【図６】
2017055999.tif 000008
【図７】
2017055999.tif 000009
【図８】
2017055999.tif 000010
【図９】
2017055999.tif 000011
【図１０】
2017055999.tif 000012
【図１１】
2017055999.tif 000013
【図１２】
2017055999.tif 000014
【図１３】
2017055999.tif 000015
【図１４】
2017055999.tif 000016
【図１５】
2017055999.tif 000017
【図１６】
2017055999.tif 000018